(57)【要約】  カメラ視点画像を視認しながらも、自由な姿勢で撮影が可能な情報処理装置を提供する。  撮像手段は、撮像を行う。テキストデータ生成手段は、撮像手段により撮像される撮像画像に基づいて前記文字列に対応するテキストデータを生成する。提示手段は、前記撮像手段により撮像される撮像画像と前記テキストデータとを共に提示する。
2020158955.tif 000002
【特許請求の範囲】
【請求項１】
文字列が配置された媒体を撮像する撮像手段と、
前記撮像手段の光軸方向を屈折させる別体の鏡と、
前記鏡を介して、撮像した撮像画像をクラウドに送信する送信手段と、
前記撮像手段により撮像される撮像画像に基づいて前記文字列に対応するテキストデータを生成するテキストデータ生成手段と、
を備える、情報処理装置。
【請求項２】
前記クラウドに送信された撮像画像に対して、左右反転、上下反転、回転、文字列が配置された媒体部の湾曲補正、文字列が配置された媒体部の台形補正、コントラストの調整、文字列が配置された媒体部だけの切り抜き、写り込んでしまった指の画像の削除のうちの少なくとも一つの画像補正を行う補正手段、
を備える、請求項１記載の情報処理装置。
【請求項３】
前記テキストデータの翻訳及び音読のうち少なくとも一方を行う処理手段、
を備える、請求項１記載の情報処理装置。
【請求項４】
前記文字列が配置された媒体の前記テキストデータまたは前記媒体に記載のバーコード情報から、過去の前記テキストデータまたは前記バーコード情報と所定の関連付けられたリファレンスデータを参照し、前記リファレンスデータを提示する提示手段をもつ、
請求項１記載の情報処理装置。
【請求項５】
前記撮像手段により撮像された撮像画像と前記テキストデータとをともに提示する提示手段をもつ、
請求項１記載の情報処理装置。
【請求項６】
前記テキストデータが文章として未完成の場合、前記撮像画像の他の部位又は次の撮像画像から得られた前記テキストデータと結合して１つの文章を完成させる結合手段をもつ、
請求項１記載の情報処理装置。
【請求項７】
文字列が配置された記録媒体を撮像する撮像手段と、
前記撮像手段の光軸方向を変化させるように、前記撮像手段を回動させるヒンジ部と、
撮像した撮像画像をクラウドに送信する送信手段と、
前記撮像手段により撮像された撮像画像に基づいて前記文字列に対応するテキストデータを生成するテキストデータ生成手段と、
を備える、情報処理装置。
【請求項８】
前記撮像画像に対して、左右反転、上下反転、回転、文字列が配置された媒体部の湾曲補正、文字列が配置された媒体部の台形補正、コントラストの調整、文字列が配置された媒体部だけの切り抜き、写り込んでしまった指の画像の削除のうちの少なくとも一つの画像補正を行う補正手段、
を備える、請求項７記載の情報処理装置。
【請求項９】
前記テキストデータの翻訳及び音読のうち少なくとも一方を行う処理手段、
を備える、請求項７記載の情報処理装置。
【請求項１０】
前記文字列が配置された媒体のテキストデータまたは前記媒体に記載のバーコード情報から、過去の前記テキストデータまたは前記バーコード情報と所定の関連付けられたリファレンスデータを参照し、前記リファレンスデータを提示する提示手段をもつ、
請求項７記載の情報処理装置。
【請求項１１】
前記撮像手段により撮像された撮像画像と前記テキストデータとをともに提示する提示手段をもつ、
請求項７記載の情報処理装置。
【請求項１２】
前記テキストデータが文章として未完成の場合、前記撮像画像の他の部位又は次の撮像画像から得られた前記テキストデータと結合して１つの文章を完成させる結合手段をもつ、
請求項７記載の情報処理装置。
【請求項１３】
被写体を撮像する撮像部と、
前記撮像部と厚み方向で重なり、前記撮像部により撮像される前記被写体を含む撮像画像を表示する表示部と、
前記撮像部の光軸方向と前記表示部に対する法線方向とのなす角度を変化させるように、前記撮像部を前記表示部の短手方向に平行な第１の回転軸で両持ち軸支しながら、本体部に対して相対的に回動可能に支持するヒンジ部と、
を備え、
前記撮像部は、
前記第１の回転軸が表示部と厚み方向で重なる位置から重ならない位置まで、前記表示部に対して、相対的に平行移動可能なスマートホン。
【請求項１４】
前記撮像部は、
前記ヒンジ部を駆動し前記撮像部を回転させる駆動部と、
前記撮像部に対する移動指示に応じて、前記撮像部を指示方向へ回転させるように前記駆動部を制御する制御部と、
を含む、
請求項１３に記載のスマートホン。
【請求項１５】
前記撮像部は、
前記表示部の長手方向に平行な第２の回転軸で回動可能に支持するヒンジ部、
を含む、
請求項１３に記載のスマートホン。
【請求項１６】
前記撮像部は、
前記表示部と厚み方向で重ならない位置で、前記第２の回転軸で回動可能に支持するヒンジ部、
を含む、
請求項１３に記載のスマートホン。
【請求項１７】
前記表示部が、
前記並行移動指示をタッチ操作で行うためのタッチパネル、
を含む、
請求項１３に記載のスマートホン。
【請求項１８】
前記ヒンジ部が、
前記表示部の短手方向に対して平行に配置された第１の回転軸と、
前記表示部の長手方向に対して平行に配置された第２の回転軸と、
を備え、
前記第２の回転軸を中心に前記撮像部を回動させる際、前記撮像部の回転に合わせて前記第１の回転軸が回転しない、
請求項１３乃至１７のうち何れか１項に記載のスマートホン。
【請求項１９】
撮像部により撮像される前記被写体を含む撮像画像を表示する表示部が所定の一面に配置された、前記撮像部よりも容積が大きい本体部と、
前記撮像部の光軸方向と前記表示部の法線方向とのなす角度を変化させるように前記撮像部を、前記表示部の短手方向に平行な回転軸で両持ち軸支しながら、前記本体部に対して相対的に回動可能に支持するヒンジ部と、
前記本体部の前記一面と対向する他の一面に設けられ、前記ヒンジ部により前記他の一面側に回転された前記撮像部を前記本体部と厚み方向で重なる形で収容可能な凹みと、
前記本体部に配置され、単体で前記本体部の方向を検出する第１センサと、
前記撮像部に配置され、単体で前記撮像部の方向を検出する第２センサと、
を備え、
前記第２のセンサにより検出された前記撮像部の方向に基づき、デジタル写真ファイルに方向の情報を付与する、
スマートホン。
【発明の詳細な説明】
【技術分野】
【０００１】
本発明は、情報処理装置に関する。
【背景技術】
【０００２】
従来から、スマートフォン等のカメラ付き携帯端末において、端末表示部裏面側に向けられたリアカメラ（相手撮り専用のカメラ）の他に、表示面側に向けられたフロントカメラ（自分撮りの専用カメラ）を別途備えるものが普及していた。
この様な端末においては、高性能カメラを２個も使用すると、端末が高額となってしまうこと、カメラ並びにレンズを大きくしなければならずデザイン上に好ましくないこと、及び、通常は相手撮りをメインとして使用されることから、フロントカメラはサブカメラとして小型で安価な低性能のものが採用されていた。【０００３】
しかし、カメラが実際に撮影している画像（以下、「カメラ視点画像」と呼ぶ）を表示部で視認しながら自分撮りを高性能カメラで行いたいとのニーズも存在する為、相手撮りモードと自分撮りモードで、カメラを共用するものがあった。
例えば特許文献１には、イメージセンサ部が可動機構により撮影モードの選択に応じて回転し、この回転に合わせて使用するフィルタおよびレンズが自動的に切り替わる、という技術が開示されている。
【先行技術文献】
【特許文献】
【０００４】
【特許文献１】特開２００８−１３１５５５号公報
【発明の概要】
【発明が解決しようとする課題】
【０００５】
しかしながら、特許文献１を含む従来の技術では、撮像方向が極めて限定されている為、機能的にはコストの問題に目を瞑って高性能カメラを２〜３個取り付けた場合と何ら変わることなく、撮影時の使用者の姿勢が限定されているという問題が有った。【０００６】
本発明は、このような状況に鑑みてなされたものであり、高性能カメラを装置本体に対して自由な方向に向けることを可能とし、カメラ視点画像を視認しながらも、自由な姿勢で撮影が可能な携帯情報装置を提供することを目的とする。
【課題を解決するための手段】
【０００７】
上記目的を達成するため、本発明の一態様の情報処理装置は、
撮像を行う撮像手段と、
前記撮像手段が生成する撮像画像から被写体を抽出する被写体抽出手段と、
前記被写体が示す情報を抽出する情報抽出手段と、
前記情報を解析する情報解析手段と、
前記解析の結果に基づいてオブジェクトを生成する生成手段と、
前記オブジェクトを前記撮像画像と共に提示する提示手段と、
を備える。
【発明の効果】
【０００８】
本発明によれば、カメラ視点画像を視認しながらも、自由な姿勢で撮影が可能な携帯情報装置を提供することができる。
【図面の簡単な説明】
【０００９】
【図１】本発明の情報処理装置の一実施形態の外観構成を示す図である。
【図２】図１の情報処理装置の外観構成を示す図である。
【図３】図１の情報処理装置の連結部を回動させた様子を示す図である。
【図４】図１の情報処理装置のスタンド部を回動させた様子を示す図である。
【図５】図１の情報処理装置を卓上に立て掛けて使用している様子を示す図である。
【図６】図１の情報処理装置に表示させる、撮影画像取捨選択画面の一例を示す図である。
【図７】図１の情報処理装置で、店舗等の屋内のナビゲーションをさせている様子を示す図である。
【図８】図１の情報処理装置で、位置及びカメラの方向を勘案して広告を出している様子を示す図である。
【図９】図１の情報処理装置で、ストリートビューを、リアルタイムで更新している様子を示す図である。
【図１０】図１の情報処理装置が横位置の状態で、本体とは異なる方向に向けたカメラによる撮像時の上下（天地）の情報を写真に付加している様子、ならびに表示の仕方を示す図である。
【図１１】図１の情報処理装置が縦位置の状態で、本体とは異なる方向に向けたカメラによる撮像時の上下（天地）の情報を写真に付加している様子、ならびに表示の仕方を示す図である。
【図１２】図１の情報処理装置で、シャッターリモコンを本体から取り外している様子を示す図である。
【図１３】図１の情報処理装置とは異なる、固定式カメラを備える情報処理装置のフロントカメラの前に鏡をセットして、本の自動翻訳や領収書データの読み込みをしている様子を示す図である。
【図１４】図１の情報処理装置で、屋外を歩きながらＡＲのゲームをしている様子を示す図である。
【図１５】図１の情報処理装置で、音源を追跡して撮影している様子を示す図である。
【図１６】図１の情報処理装置で、紙媒体等に記載された問題を教育に利用している様子を示す図である。
【図１７】図１の情報処理装置で、折りたたみ式のスタンドで自立安定させている様子を示す図である。
【図１８】図１の情報処理装置で、位置情報に基づいて、保存した写真を探し出している様子を示す図である。
【図１９】図１の情報処理装置で、情報を表示すると共に、場所に基づいて該当する写真をＷＥＢ上から探し当てている様子を示す図である。
【図２０】情報処理装置がスライド式回転カメラを備える場合における、形状を変化させた各状態を示す図である。
【図２１】図１の情報処理装置の、２軸回転機構部の構造を示す図である。
【図２２】図１の情報処理装置の表示部の切欠き部にスライド式回転カメラを備える場合における、形状を変化させた各状態を示す図である。
【図２３】図１６の情報処理装置の翻訳画面（ＵＩ）の一例を示す図である。
【図２４】図１６の情報処理装置の翻訳及び音読のプロセスを示すフローチャートである。
【図２５】図１６の情報処理装置の翻訳及び音読のプロセスを示すフローチャートである。
【図２６】図１６の情報処理装置の音読画面（ＵＩ）の一例を示す図である。
【図２７】図１６の情報処理装置の音読のプロセスを示すフローチャートである。
【図２８】図１６の情報処理装置の音読のプロセスを示すフローチャートである。
【図２９】図１６の情報処理装置のテキスト化のプロセスを示すフローチャートである。
【図３０】図１６の情報処理装置のテキスト化のプロセスを示すフローチャートである。
【図３１】図１６の情報処理装置に装着する鏡ユニットの一例を示す図である。
【図３２】図１６の情報処理装置に装着する鏡ユニットの他の例を示す図である。
【発明を実施するための形態】
【００１０】
以下、本発明の一実施形態を図面に基づいて説明する。
【００１１】
図１は、本発明の情報処理装置の一実施形態の外観構成を示す図である。図１（Ａ）は、情報処理装置の正面図である。図１（Ｂ）は、情報処理装置１の上面図である。図１（Ｃ）は、情報処理装置の左側面図である。
情報処理装置１は、少なくとも表示機能とデジタルカメラ機能を備え、本体部１１と連結部１２より構成され、これらは回動自在に相互に接続されている。
【００１２】
本体部１１は、平面形状四角形の短柱状に形成され、各種基板等が内蔵される第１筐体である。本体部１１の所定の一面１１ａ（以下「正面１１ａ」と呼ぶ）には、タッチパネル式ディスプレイ等で構成される表示部１３が配置される。
【００１３】
図２は、図１の情報処理装置の外観構成を示す図である。図２（Ａ）は、情報処理装置の背面図である。図２（Ｂ）は、図２（Ａ）の線Ａ−Ａにおける断面図である。図２（Ｃ）は、図２（Ａ）を上面からみた断面図である。
【００１４】
本体部１１の背面１１ｂは、図１で上述した正面１１ａに対向する側の一面である。
連結部１２は、平面形状略矩形に形成され、本体部１１の背面１１ｂの一方の短辺側に回動自在に配置される。連結部１２は、カメラ基部１２−１と、カメラ指向部１２−２とを有している。カメラ指向部１２−２の正面（図２（Ａ）で見えている側の面）には円形状のカメラ２１が配置されている。即ち、連結部１２は、カメラ２１を内蔵する第２筐体である。カメラ２１は、被写体を撮像する撮像部である。カメラ２１により撮像された被写体を含む撮像画像は、表示部１３に表示される。ここで、図２（Ｃ）で示す様に、凹み幅Ｗは、カメラ部用の凹みの幅である。そして、回転半径ｒ２は、２軸目のヒンジの回転軸（中心）から一番長い回転半径である。これにより、凹み幅Ｗと回転半径ｒ２の関係は、以下の式（１）で示す関係となる。
Ｗ／２＞ｒ２・・・（１）
【００１５】
カメラ基部１２−１は、回動軸Ｚ１を回動中心として本体部１１に対して連結部１２全体を回動可能に軸支される。
より具体的には、カメラ基部１２−１は、柱形の外形のうちの端面を本体部１１に摺接しながら、回動軸Ｚ１を中心として回動し得るように構成される。
【００１６】
軸支は両端面間を貫通してすることが強度上好ましいが、両端面から相互に回動軸を挿入して両持ち軸支しても良く、更には片持ちで軸支しても良い。
カメラ２１が搭載されるカメラ指向部１２−２は、回動軸Ｚ１に対し略直交方向に配置された回動軸Ｚ３を回動中心としてカメラ基部１２−１に対し回動可能に片持ちで軸支される。
【００１７】
ここで、カメラ２１の配置方向は、回動軸Ｚ３に対しても、略９０度である。
つまり、カメラ２１は、回動軸Ｚ１と回動軸Ｚ３という２つの略直交独立した回動軸により、本体部１１に対して、立体角上でモーションを取ることが出来る。
【００１８】
このように、カメラ２１の光軸方向と表示部１３の法線方向とのなす角度を変化させる回動軸Ｚ１と、回動軸Ｚ１とは異なる方向（本例では略直交方向）の回動軸Ｚ３を含む複数の回動軸により、カメラ２１を本体部１１に対して相対的に回動可能に、直接的又は間接的に連結する部が、連結部１２である。
連結部１２は、本体部１１より容積が小さい可動部を１以上有している。本例では、このような可動部として、カメラ基部１２−１と、カメラ指向部１２−２が設けられている。
撮像部たるカメラ２１は、１以上の可動部のうち所定の１つの所定の面に配置されれば足りるが、本例では上述のようにカメラ指向部１２−２の正面に配置されている。
そして、回動軸Ｚ１の方向と、回動軸Ｚ３の方向とのなす角度は、略９０度である。
【００１９】
情報処理装置１には、さらに、当該情報処理装置１を机等の上に立てかけて配置させることができるように、スタンド１４が設けられている。
スタンド１４は、回動軸Ｚ２を回動中心として本体部１１に対して回動可能に軸支される。
即ち、スタンド１４は、枠状に形成され、回動軸Ｚ２を中心とする回動により本体部１１と好適な任意の角度を成すことにより、水平面上で情報処理装置１を自立安定させる（後述する図５参照）。
なお、図示した平面形状略コの字状は一例であって、平面形状略Ｕ字状等であっても良いことは言うまでもない。
更には後述の垂直面上での使用が可能であれば、平面形状フック状等であっても良い。
【００２０】
スタンド１４は、連結部１２を枠状に囲む形状とすることにより、スタンド１４と連結部１２を別々に離れた位置に配置するよりも大幅にスペース効率を上げることができ、無駄に情報処理装置１の筐体を大きくしないようにできる。または、内部基板を無駄に分割しないようにできる。
なお、連結部１２とスタンド１４は、回動軸に対する両端面についての中心線を、線Ａ−Ａのように略共有している。
【００２１】
さらに以下、回動軸Ｚ１乃至Ｚ３について説明する。
回動軸Ｚ１は、本体部１１と連結部１２を接続軸の回動中心であり、表示部１３の短手方向に対して並行に配置されている。
回動軸Ｚ１の回動範囲は、背面１１ｂから略１８０度以上までであって、２７０度を超えることが望ましい。
【００２２】
回動軸Ｚ２は、本体部１１とスタンド１４との接続軸の回動中心である。
回動軸Ｚ２の回動範囲は、背面１１ｂから１８０度にまで達することが望ましく、特に背面１１ｂから９０度までの任意の角度を、水平面上での情報処理装置１の自重モーメントに対抗して維持できる様に、適度な回動抵抗が与えられていても良い。
これによりユーザは、情報処理装置１を、水平面上で所望の角度姿勢で自立安定させて配置することができる。
なお、スタンド１４の回動軸Ｚ２側にオフセットさせる部位を設けて、回動軸Ｚ１と回動軸Ｚ２の回動中心を共有させても良い。
【００２３】
回動軸Ｚ３は、カメラ基部１２−１と、カメラ指向部１２−２との接続軸の回動中心であり、表示部１３の長手方向に対して並行に配置されている。
回動軸Ｚ３は、回動軸Ｚ１とは略直交して設けられ、回動軸Ｚ１回りの略直交平面上を回動する。
回動軸Ｚ３の回動範囲は、回動軸Ｚ３が回動する回動軸Ｚ１回りの略直交平面より左右１８０度ずつにまで達することが望ましい。
【００２４】
図３は、図１の情報処理装置の連結部を回動させた様子を示す図である。
図３（Ａ）では、図１の情報処理装置１の連結部１２（より正確にはカメラ基部１２−１）は、回動軸Ｚ１を中心に９０度回動した状態となっている。
図３（Ｂ）では、連結部１２（より正確にはカメラ基部１２−１）は、図３（Ａ）の状態からさらに回動軸Ｚ１を中心に回動し、回動軸Ｚ１を中心に１８０度回動した状態となっている。
図３（Ｃ）では、連結部１２（より正確にはカメラ指向部１２−２）は、図３（Ｂ）の状態からさらに回動軸Ｚ３を中心に９０度回動した状態となっている。
図３（Ａ）乃至図３（Ｃ）で示す様に、距離ｈ１は、１軸目のヒンジの回転軸（中心）から、情報処理装置１（スマートフォン）の本体部１１の上側面、情報処理装置１の天面（表示部１３がある方）、または、情報処理装置１の底面（表示部１３がない方）までの一番長い距離である。また、距離ｈ２は、１軸目のヒンジの回転軸（中心）から２軸目のヒンジの回転断面までの距離である。そして、距離ｈ１と距離ｈ２との関係は、以下の式（２）で示す関係となる。
ｈ２＞ｈ１・・・（２）
【００２５】
図４は、図１の情報処理装置１のスタンド１４を回動させた様子を示す図である。
図４（Ａ）は、上述の図３（Ｂ）と同一の状態であり、スタンド１４は回動しておらず、本体部１１に収納されている。
図４（Ｂ）では、スタンド１４は、図４（Ａ）の状態からさらに回動軸Ｚ２を中心に回動し、回動軸Ｚ２を中心に１８０度回動した状態となっている。
また、図３と同様に、距離ｈ１と距離ｈ２の関係は、上記の式（２）と同様の関係である。
【００２６】
図４（Ｂ）に示すようにスタンド１４を回動軸Ｚ２を中心に１８０度回動した状態にすることで、ユーザは、図４（Ｃ）に示すように、スタンド１４を壁ＫＢのクリップＣＬ等にかけることによって、情報処理装置１を壁ＫＢに取り付けることができる。
この図４（Ｃ）の状態では、カメラ２１の光軸方向（被写体の撮影方向）及び表示部１３の法線方向（ユーザが表示部１３を見る方向）は、壁ＫＢの表面に対する法線方向となっている。
したがって、ユーザは、壁ＫＢに対向して位置することで、カメラ視点画像（自身が写る画像）をみながら、自身を被写体とした撮影、即ちセルフィショット（自撮り）をすることが容易にできる。
【００２７】
以上説明したように、回動軸Ｚ２によりスタンド１４は本体部１１に対して回動し、回動軸Ｚ１及び回動軸Ｚ３の２軸によりカメラ２１（連結部１２）は表示部１３（本体部１１）に対して回動する。
このため、ユーザは、セルフィショット（自撮り）等をする際に、図４に示すように情報処理装置１を壁ＫＢにかけて使用することもできるし、図５に示すように情報処理装置１を卓上に立て掛けて使用することもできる。
【００２８】
図５は、図１の情報処理装置１を卓上に立て掛けて使用している様子を示す図である。
図５（Ａ）は、表示部１３が配置された正面１１ａ側をみる視点による斜視図である。
図５（Ｂ）は、表示部１３が配置された背面１１ｂ側をみる図１の情報処理装置の卓上での使用形態を示す斜視図である。本形態におけるスタンド１４は、図４（Ａ）の状態から回動軸Ｚ２を中心に９０度以内で回動した状態となっている。
【００２９】
回動軸Ｚ２には、背面１１ｂから９０度までの任意の角度を、水平面上での情報処理装置１の自重モーメントに対抗して維持できる様に、適度な回動抵抗が与えられていても良い。
これによりユーザは、情報処理装置１を、水平面上で所望の角度姿勢で自立安定させて配置することができる。
【００３０】
図１の情報処理装置１に係るユーザは、自己を撮像する場合等には、図５に示すように、本体部１１とスタンド１４とが所定角度拡開するように変形した状態の情報処理装置１を、机上等に立設させる。
この状態でも、情報処理装置１は、回動軸Ｚ１及び回動軸Ｚ３を回動させることにより、カメラ２１を被写体に向けることが出来る。
【００３１】
さらに、情報処理装置１は、シャッターリモコン機能やセルフタイマー機能を併用することにより、本体部１１を手で持たなくても撮影することができるので、後述する諸課題を解決することが出来る。
【００３２】
以上説明した本発明が適用される情報処理装置１を採用することで、次のような各種各様な効果を奏することが可能である。
【００３３】
即ち、従来のスマートフォンでのフロントカメラを用いたセルフィショット（自撮り）が全世界的に、特にアジア圏で流行っている。
しかしながら、従来のスマートフォンでは、下記のような様々な課題があった。
本発明が適用される情報処理装置１を採用することで、これら様々な課題を解決できるという効果を奏することができる。
【００３４】
例えば、従来のスマートフォンを用いるユーザは、自分の手でシャッターを押すので、自分の手の長さ以上に離れた距離から自分たちの写真を撮ることができない。つまり、広角の限度があるので、一緒に撮りたい全員（家族、恋人、仲間など）が入らない可能性があったり、自分の全身写真を撮ることは不可能である。
この課題の従来の解決方法としては、セルフィスティック（自撮り棒）を用いるとい方法がある。この方法では、自分の手の長さ以上に離れた距離から写真を撮ることもできるが、セルフィスティックの長さ以上に離れた距離からは撮れない。加えて、セルフィスティックを持ち歩く必要性があり、安全性の観点からセルフィスティックの使用を禁止する場所（テーマパークやスポーツ施設やコンサート会場や駅のホームなど）も出てきており、万能な解決方法ではない。
つまり、セルフィスティックを用いないで撮影したいという課題がある。この課題の解決方法は、本発明が適用される情報処理装置１を採用することである。即ち、本発明が適用される情報処理装置１は、スタンド１４を有しているので、図４や図５に示すように壁や卓上に固定可能であり、セルフィスティックが不要になる。
【００３５】
また、自分の手を伸ばすので、シャッターを押した手が伸びた状態でしか撮影がされず、不自然なポーズになる。
これはセルフィスティックを使っても若干不自然さが緩和される場合もあるが、不自然さは残り、白分がとりたいポーズ（例えば、両手を使ったポーズなど）が出来ない場合がある。
【００３６】
つまり、セルフィスティックを用いないで撮影したいという課題がある。この課題の解決方法は、本発明が適用される情報処理装置１を採用することである。即ち、本発明が適用される情報処理装置１は、スタンド１４及びセルフタイマー並びにシャッターリモコン機能を有しているので、図４や図５に示すように壁や卓上に固定可能であり、セルフィスティックが不要になる。
【００３７】
また、より大人数のセルフィになると、セルフィというより集合写真になるが、自分の手でも、セルフィスティックでも、全員がカメラに収まらない場合が有る。
係る場合は、仲間の一人が犠牲となって、撮影者となるが、撮影者は集合写真に入ることができない。
店舗で、パーティなどを開く際には、店員に依頼して、集合写真を撮ってもらうことが多いが、店員を呼ぶ必要があり、面倒である。
【００３８】
つまり、撮影対象者以外の人の手を煩わすことなく、撮影対象者を全員、写真に収めたいという課題がある。この課題の解決方法は、本発明が適用される情報処理装置１を採用することである。即ち、本発明が適用される情報処理装置１は、スタンド１４及びカメラの２軸回動機構を有しているので、図４や図５に示すように壁や卓上に固定可能であり、撮影対象者以外の人の手が不要になる。
【００３９】
また、例えば、スポーツのフォームを自分で確認する際に、スマートフォンのカメラを使って撮影したいが、スマートフォンを床や机の上などに固定するものがないと、撮影すらできず、スマートフォンでの撮影を諦める場合が多い。
【００４０】
同様に、机の上などにスマートフォンを置いて、セルフィショットを撮ることもあるが、被写体にフロントカメラを向けてスマートフォンを置く時に、安定して置けなかったり、設置に時間が掛かる。
【００４１】
つまり、三脚を用いないで撮影したいという課題がある。この課題の解決方法は、本発明が適用される情報処理装置１を採用することである。即ち、本発明が適用される情報処理装置１は、スタンド１４及びカメラの２軸回動機構を有しているので、図４や図５に示すように壁や卓上に固定可能であり、三脚が不要になる。
加えて、縦長の画面で撮影したい場合は、スタンド１４を立て、連結部１２を１８０度以上回動させることで、卓上に固定した状態で撮影できるので、三脚が不要になる。この場合、必ずしもスタンド１４を立てる必要はない。
【００４２】
また、スマートフォンでビデオチャットをすると、多くの人がスマートフォンのフロントカメラに自分の顔を映すために、チャットの間中ずっとスマートフォンを持っている必要がある。
【００４３】
調査によると８０％の人が手に持ってチャットしていると答えていて、チャットする時間にも依るが、手が疲れてきてしまう。
【００４４】
つまり、スマートフォンを手に持たないでビデオチャットをしたいという課題がある。この課題の解決方法は、本発明が適用される情報処理装置１を採用することである。即ち、本発明が適用される情報処理装置１は、スタンド１４及びカメラの回動機構を有しているので、図４や図５に示すように壁や卓上に固定可能であり、スマートフォンを手に持つことが不要になる。
加えて、縦長の画面で自分の顔を撮影してビデオチャットをしたい場合は、スタンド１４を立て、連結部１２を１８０度以上回動させることで、卓上に固定した状態で撮影できるので、スマートフォンを手に持つことが不要になる。この場合、必ずしもスタンド１４を立てる必要はない。
【００４５】
また、これらの課題の解決策として、スマートフォンを机の上などに置くための、スタンドをスマートフォンに搭載する方法があるが、スタンドで表示画面とフロントカメラの角度が固定されてしまう為、必ずしも被写体方向にカメラが向かず、写真又は映像を撮るという目的には、こちらも万能な解決策にはならない。
【００４６】
つまり、角度が固定されたフロントカメラを用いないで撮影したいという課題がある。この課題の解決方法は、本発明が適用される情報処理装置１を採用することである。即ち、本発明が適用される情報処理装置１は、スタンド１４及びカメラの２軸回動機構を有しているので、図４や図５に示すようにリアカメラを２軸回動により正面に回り込ませて自由な角度に指向させることが可能であり、角度が固定されたフロントカメラが不要になる。
加えて、縦長の画面で撮影したい場合は、スタンド１４を立て、連結部１２を１８０度以上回動させることで、卓上に固定した状態で撮影できるので、角度が固定されたフロントカメラが不要になる。この場合、必ずしもスタンド１４を立てる必要はない。
【００４７】
また、スマートフォンが仮にスタンドを備えても、置く場所がなく、壁しかなければ、スマートフォンを置くことは出来ない。
この課題の解決策として、壁に情報処理装置をぶら下げて固定する方法もあるが、その為のフックをスマートフォンに用意する必要があり、それもスマートフォン本体にスペースが必要になる。
【００４８】
つまり、フックを別途備えたくないという課題がある。この課題の解決方法は、本発明が適用される情報処理装置１を採用することである。即ち、本発明が適用される情報処理装置１は、連結部１２及びスタンド１４を１８０度回動させた状態にすることで、スタンド１４と連結部１２の間に設けられている空隙を利用して、平面上に突起部やピン状部材を利用して懸架支持させることができるので、壁掛けでの使用に好適であり、フックを別途備える必要がなくなる。
【００４９】
また、フロントカメラは一般的に、リアカメラと比較して、
（ア）低解像度
（イ）低感度（暗いシーンではフラッシュなしでは撮影ができない）
（ウ）固定焦点で、オートフォーカスではない
（エ）オートフォーカスのものもあるが、オートフォーカスのスピードが遅い
（オ）低ズーム倍率
（カ）フラッシュライトがない
と、性能的に劣るものが多く、椅麗な画質で撮像できない。
加えて、リアカメラとフロントカメラは性能が異なる場合、１機種の為に、２つのカメラを開発する必要がある。
この課題の解決方法として、リアカメラで、セルフィショットを撮るアプリケーションソフトウェアがあるが、表示部が見えないので、声でナビゲートする等、使い勝手は非常に悪かった。
【００５０】
つまり、表示部を見ないでセルフィショットを撮る為のアプリケーションソフトウェアは、使いたくないという課題がある。この課題の解決方法は、本発明が適用される情報処理装置１を採用することである。即ち、本発明が適用される情報処理装置１は、高性能カメラとしてのカメラ２１を装置本体に対して自由な方向に向けることが可能であり、カメラ視点画像を視認しながらも、自由な姿勢で撮影できるので、表示部１３を見ないでセルフィショットを撮る為のアプリケーションソフトウェアが不要になる。
【００５１】
また、上記の解決策であるスタンドと回動式カメラも、本体側に回動の為の各々の軸が必要になり、その２つの軸用にスペースを確保する必要があり、本体の筐体がより大きくなってしまう。加えて、カメラの回動の仕方にも依るが、スタンドで、立てたスマートフォンのカメラが回動しても、被写体にカメラが向かないことが多く、解決策にならないことが多い。被写体にカメラが向くように更に回動軸を増やすことも可能だが、写真を撮影する際に被写体に常にカメラを向けてから撮影するのは、面倒な場合が多い。
【００５２】
つまり、少ない回動軸数で被写体に常にカメラを向けたいという課題がある。この課題の解決方法は、本発明が適用される情報処理装置１を採用することである。即ち、本発明が適用される情報処理装置１は、スタンド１４とカメラ２１の回動軸を兼用させても良いので、図４や図５に示すように２軸回動だけで被写体に常にカメラ２１を向けることが可能であり、回動軸を増やすことが不要になる。
【００５３】
また、従来の、リアカメラも正面表示部も本体に固定された情報処理装置では、目よりも高い位置から撮影するハイアングルショットや、腰よりも低い位置から撮影するローアングルショットは、カメラの向きと表示部の向きが対向しているので、表示部を見ながら撮影することは困難である。
例えば、ハイアングルショットは、写真を撮る際に、被写体が人垣に固まれていたりするときに、人垣の上から撮影するようなときに必要となるが、カメラを被写体に向けると表示部が上を向いてしまい、カメラ視点画像を視認しながら撮影することができない。
【００５４】
同様に、腰よりも低い位置からカメラよりも高い位置にある被写体にカメラを向けると、表示部が下を向いてしまい、やはり、カメラ視点画像を視認しながら撮影することができない。
この課題の解決策として、カメラが回動すると、カメラの向きと表示部の向きを別々に設定できるので、カメラ視点画像を視認しながらの撮影が、可能になる。
【００５５】
この際に、カメラを回転させていくと、画面の上下方向が変わる時があるが、何も工夫を凝らさないと、上下方向が逆になってしまうことなどもある。
このようなハイアングルショットやローアングルショットの際には、カメラの回転する方向が決まっている（正位置から時計回りにしか回転しないとか）と撮影がしにくい為、両方向に回動可能であることが望ましい。
【００５６】
つまり、角度が固定されたリアカメラを用いないで撮影したいという課題がある。この課題の解決方法は、本発明が適用される情報処理装置１を採用することである。即ち、本発明が適用される情報処理装置１は、スタンド１４及びカメラ２１の２軸回動機構を有しているので、図４や図５に示すようにリアのカメラ２１を２軸回動により上下に自由な角度に指向させることが可能であり、角度が固定されたリアカメラが不要になる。
カメラ２１を回動させていると、どこかのタイミングで、撮影できる画角（広角か通常か狭角か等）を自動で切り替えられると望ましい。一般的にはフロントカメラの光軸方向側は、被写体までの距離が短い場合が多いので、広角で撮影したいが、リアカメラの光軸方向側は、通常や狭角で撮影したい。よって、カメラの向きによって、画角が自動で変わると望ましい。
【００５７】
また、セルフィショットを撮るときに、シャッターボタンやタッチパネルを押して、シャッターを下ろす必要があり、しっかりとスマートフォンをホールド出来ず、不安定になったスマートフォンを落としてしまうこともある。
この課題の解決策として、タイマー設定や、ジェスチャ認識や音声認識によるシャッター押下があるが、シャッターが下ろされるタイミングがわかりにくかったり、反応が悪かったりして、例えば、５人でジャンプした瞬間を撮りたいといった時には使いにくい。
【００５８】
つまり、スマートフォンから手を放してシャッターボタンを押して撮影したいという課題がある。この課題の解決方法は、本発明が適用される情報処理装置１を採用することである。即ち、本発明が適用される情報処理装置１は、シャッターリモコン対応機能を有しているので、図４や図５に示すようにセルフィショットを撮るときに、シャッターボタンやタッチパネルを押すことなくシャッターを下ろすことが可能であり、しっかりとスマートフォンをホールドすることが不要になる。
【００５９】
ここで、シャッターリモコン対応機能があっても、例えば、１０人でグループショットを撮影する際に、上述の情報処理装置１を机の上などに設置し、１０人に向けカメラ２１を回転させ、情報処理装置１から遠く離れると、表示部１３が小さくて見えなくなってしまい、カメラ視点画像のフレームに全員が収まっているかわからないか又は各々の表情がわからない等の理由から、シャッターを切りにくい場合がある。
つまり、カメラ視点画像を何らかの方法で確認しながら、撮影したいという課題がある。
この課題の解決方法は、次のような手法を採用することである。即ち、本発明が適用される情報処理装置１に対して、カメラ視点画像を別のスマートフォンやパーソナルコンピュータなどの情報処理装置に、有線、もしくは無線で転送し、操作も可能にする画面共有機能を搭載するという手法を採用するとよい。
これにより、情報処理装置１のカメラ視点画像を他の情報処理装置と共有しながら、離れた位置から静止画や動画の撮影をすることが可能になる。情報処理装置同士が直接繋がる場合もあれば、インターネット回線を使って、自宅に置いた情報処理装置１のカメラ視点画像をオフィスのパーソナルコンピュータと画面共有し、そのパーソナルコンピュータの画面を見ながら、自宅に残っているペットの撮影をしたりすることも可能である。
【００６０】
また、従来のデジタルカメラやスマートフォンでも、カメラを横移動させることによって、合成のパノラマショットを撮ることができる。
しかし、スマートフォンやカメラを様々な方向に向けて横移動しながら撮影する必要があり、綺麗に合成できない場合が多い。
【００６１】
つまり、本体を横移動させることなくカメラで周囲を撮影したいという課題がある。この課題の解決方法は、本発明が適用される情報処理装置１を採用することである。即ち、本発明が適用される情報処理装置１は、カメラ２１の回動軸Ｚ１及びＺ３についての回動は電動であって良いので、図３に示すように本体を止めたままカメラ２１をパンさせることが可能であり、カメラ２１を横移動させることが不要になる。
【００６２】
また、従来より、人間のジェスチャを機器やゲームの操作に活かそうという試みがあるが、ジェスチャを認識するカメラは常に被写体を向いている必要があることから、カメラ装置とゲーム装置とは別に用意する必要があり、スマートフォン１台で処理することが出来なかった。
かつ、ジェスチャ認識用のカメラは非常に高価であり、追加の費用が発生していた。
【００６３】
つまり、ジェスチャ認識専用のカメラを使わずジェスチャ認識したいという課題がある。この課題の解決方法は、本発明が適用される情報処理装置１を採用することである。即ち、本発明が適用される情報処理装置１は、人に向けるカメラ２１が高機能（例えば、Ｅｘｖｉｓｉｏｎのジェスチャ認識）であれば可能であり、ジェスチャ認識専用のカメラが不要になる。
【００６４】
また、従来から、スマートフォンには、歩行者用のナビゲーションソフトがあるが、それでも特に屋外だと、自分が向いている方向が簡単にわからず、自分の進むべき方向がわからなかったり、わかるのに時間が掛かったりする。
この課題の解決策として、カメラを使ったＡＲによるナビゲーションがある。
【００６５】
当該ナビゲーションは、実際にカメラに写っている映像に矢印を重ね合わせたりするユーザインターフェースにより、方角を認識するのに時間が掛かかることもなく、直ぐに使えるようになる。
ただし、本体部背面に直交する角度で固定されたカメラで撮影するためには、常にスマートフォン本体部を地面と垂直に持つ必要があり、その際の表示部は非常に見難い角度になったり、ずっと持つのに疲れたりする。
【００６６】
屋外での歩行中にスマートフォンを使用する行為である「歩きスマホ」も社会現象となっているが、画面に集中しているので、ぶつかりそうになるまで、なかなか気付かない。
これら２つの課題も、回動式のカメラがあれば、解決できる場合がある。
「歩きスマホ」時に、回動したカメラ２１の映像を表示部１３にウィンドウの一つとして表示したり、障害物の存在を、音や画面や振動で伝えることも可能になり、危険を回避できる。
【００６７】
本形態では、表示面に対してカメラが縦方向に回動する為、上記２つの解になりうるが、カメラの向きがスムーズに回動する場合は、カメラが遊動して安定しない、という問題もある。
【００６８】
つまり、本体を把持して安定させても、カメラが遊動して安定しないという課題がある。この課題の解決方法は、本発明が適用される情報処理装置１を採用することである。即ち、本発明が適用される情報処理装置１は、カメラ２１の回動を特定の角度でロックできて良く、本体部１１を把持して安定させれば、カメラ２１も安定する。
【００６９】
また、近年、万が一の事故の際、映像データやＧＰＳ（Ｇｌｏｂａｌ  Ｐｏｓｉｔｉｏｎｉｎｇ  Ｓｙｓｔｅｍ）によるデータなどを記録することにより、事故の客観的な検証に寄与することを目的とする、自動車や自転車に搭載するドライブレコーダが急速に広がっている。
スマートフォンにアプリケーションソフトウェアをインストールすることで、ドライブレコーダ代わりにすることも可能であるが、あまり、広まっていない。
自動車の場合の理由として、車のダッシュボードの上に吸盤や両面テープなどでスマートフォン等を固定するホルダを使って、ドライバから表示部を見やすいようにスマートフォンを固定すると、そのスマートフォンのカメラの光軸方向は、撮影したい車前方や後方を向かず、ダッシュボードが写ってしまう。
つまり、ドライバから見やすい位置かつ運転の妨げにならない位置にスマートフォンを置くと、ドライブレコーダの役割を果たせない。一方、ドライブレコーダとしての映像を優先すると、スマートフォンをドライバから見にくい位置に設置しなければならない。そうすることによって、スマートフォンをドライブレコーダ兼ナビゲーションシステムとして利用したいなどの兼用用途を満たすことができなくなってしまう。自転車の場合も同様である。その為、スマートフォンをドライブレコーダとして使うことがあまり広まっていないと考えられる。
つまり、スマートフォンをドライブレコーダとして利用しながら、他の用途にも同時に使いたいという課題がある。
この課題の解決方法は、本発明が適用される情報処理装置１を採用することである。即ち、本発明が適用される情報処理装置１は、カメラ２１を装置本体に対して自由な方向に向けることが可能であり、ナビゲーションの地図を表示しながら、画面の一部にカメラ視点画像をＰｉｃｔｕｒｅ  ｉｎ  Ｐｉｃｔｕｒｅのような形で表示できるので、スマートフォンをドライブレコーダとして利用しながら、他の用途にも同時に使うことができる。よって、専用のドライブレコーダが不要になる。
なお、自動車への設置は、横長画面になるように設置するが、自転車への設置は、縦長画面になるように設置するなど、カメラ２１が２軸で回転できるので、幅広い設置の仕方に対応が可能である。
【００７０】
また、今後、スマートフォンの業界では、リアカメラにセンサを複数個搭載して、写真撮影だけではなく、距離を測定したり、ズームに活用したりする例が増えてくると見られている。だが、フロントカメラ側も同じ対応をすると、コストが倍掛かってしまうので、見送られる可能性が高く、フロントとリアでカメラの機能差が出てしまう。
【００７１】
つまり、リアカメラしか高機能化させられないという課題がある。この課題の解決方法は、本発明が適用される情報処理装置１を採用することである。即ち、本発明が適用される情報処理装置１は、ステレオカメラへの応用を想定し、回動するカメラ２１があれば、解決が可能であり、フロントカメラへの機能追加の対応が不要になる。
【００７２】
従来の情報処理装置では、撮影した画像をフルサイズで表示させた画面で確認しながら、取捨選択していく作業は容易ではなかった。
本発明の情報処理装置１の一実施形態によれば、図６に示すように、カメラで撮影した画像をスライドショーで自動再生し、逐次、取捨選択できる機能を提供することができる。削除ボタンＢ１、検討中ボタンＢ２、保持ボタンＢ３の３つのボタンが表示されているイメージである。
すなわち、ユーザがいずれか１つのボタン選ぶと、次の写真に切り替わっていく。
当該操作は必ずしも人手による必要は無く、ＡＩ等により自動化して良い。これはアプリケーションソフトウェアの機能なので、従来の情報処理装置でも実現は可能である。
【００７３】
従来の情報処理装置（例えばスマートフォン）では、店舗等の屋内（Ａ）Ｒによるナビゲーションを行う際には、スマートフォンを垂直に立てながら、撮影する必要があり、歩きながら、スマートフォンを垂直に保つのは、不自然な持ち方になり、疲れてしまう。
本発明の情報処理装置１の一実施形態によれば、図７（Ｂ）に示すように、２軸回転カメラ、１軸回転カメラ、又は３６０度カメラで撮影した画像に対して、カメラが回転させることができ、ディスプレイを見やすい角度で保持した状態でカメラを進行方向に向けることができるので、図７（Ａ）Ａに示すように、ＡＲ上で屋内のナビゲーションを行う機能を提供することができる。
【００７４】
例えば、ガイド情報ＧＩ１は、砂糖が少ないこと（例えばユーザ宅の貯蔵量や、売り場の陳列量）を、ＡＲ上で示している。
例えば、ガイド情報ＧＩ２は、値引き品売り場の方向を、ＡＲ上で示している。
例えば、ガイド情報ＧＩ３は、１０％値引き商品の陳列位置を、ＡＲ上で示している。
例えば、ガイド情報ＧＩ４は、１０色のカラーバリエーションの商品の陳列位置を、ＡＲ上で示している。
更に、情報処理装置１は、購入したいアイデムがどこにあるか等の、店舗の中のナビゲーションを行う。
情報処理装置１は、カメラにユーザが探している対象物がカメラ視点画像に入ると画面上にマークや音や振動を出して良い。
情報処理装置１は、対象物から遠ざかると音量を下げる、又は上げるなどによりユーザに通知して良い。
更に、従来のカメラの角度が固定された情報処理装置でも、同じ機能を搭載しても良い。
【００７５】
従来の情報処理装置（例えばスマートフォン）では、屋外における歩行者（Ａ）Ｒによるナビゲーションの際には、スマートフォンを垂直に立てながら、周辺を撮影する必要があった。
そのため、歩きながら、スマートフォンを垂直に保つのは、不自然な持ち方になり、疲れてしまう。よって、ＡＲによるナビゲーションは一般的ではなく、ほとんど使われていない。よって、歩行者（Ａ）Ｒナビ中に位置及びカメラの方向を勘案して広告を出すことはほとんど行われていない。
本発明の情報処理装置１の一実施形態によれば、図８（Ｂ）に示すように、２軸回転カメラ、１軸回転カメラ、又は３６０度カメラで撮影した画像に対して、ディスプレイを見やすい角度で保持した状態でカメラを進行方向に向けることができるので、見やすく、疲れにくい状態で図８（Ａ）に示すように、ＡＲによるナビゲーションが行える。よって、そ（Ａ）Ｒ上で画像または、音声による広告を出す機能を提供することができて良い。
【００７６】
例えば、広告ＡＤ１は、全品１０％値引きセールを実施中である旨の位置情報付きの広告を、ＡＲ上で示している。
例えば、広告ＡＤ２は、近日営業を開始する店舗又は開店から日が浅い店舗の店舗名の、位置情報付きの広告を、ＡＲ上で示している。
ここで、情報処理装置１は、ＡＲ広告を出す又は出さないについて、ユーザがメニューで選択できて良い。
更に、情報処理装置１は、内容について、例えばセール情報に限定したり、レストランの広告に限定する等をメニューで選択できて良い。
また、広告主側も、メニューで出稿対象ユーザの属性等を指定できて良い。
更に、情報処理装置１は、広告が表示されると、音や振動によりユーザに通知して良い。
更に、情報処理装置１は、広告が表示されている場所に向けて、広告に気づくように、カメラが自動で回転する機能を備えて良い。
更に、従来のカメラの角度が固定された情報処理装置でも、同じ機能を搭載しても良い。
【００７７】
従来の情報処理装置（例えばスマートフォン）にも、カメラの撮影映像に対して、ＡＲで翻訳を表示する機能があった。しかしながら、上述したように、ＡＲのナビゲーションは、スマートフォンを不自然な体勢で持つ必要があるので、あまり一般的ではなく、その中で、ＡＲのナビゲーションからアプリケーションソフトウェアを切り替えることなく、ＡＲで翻訳等を出すことは容易ではなかった。
本発明の情報処理装置１の一実施形態によれば、２軸回転カメラ、１軸回転カメラ、又は３６０度カメラで撮影した画像に対して、（ナビゲーションの最中などで）ＡＲ上で翻訳等の情報を出す機能を提供することができる。
【００７８】
Ｇｏｏｇｌｅ  ＬＬＣが始めたストリートビューサービスは、過去に撮影した映像を表示するだけなので、地図上の各ポイントに対して、ほぼリアルタイムで表示することは容易ではなかった。
本発明の情報処理装置１の一実施形態によれば、図９に示すように、自動車の運転中に２軸回転カメラ、１軸回転カメラ、又は３６０度カメラで撮影したＡＲナビゲーションで使用する背景映像のデータをクラウドＣＤにアップロードすることで、ストリートビューの地図上のポイントに対して、そこをナビゲーションサービスなどで通過した背景映像を表示することで、ほぼリアルタイムのストリートビューを表示する機能を提供することができる。
ここで、ほぼリアルタイムのストリートビューには、絶対時刻だけではなく、相対時間つまり、何分前の情報かを表示させて良い。
また、クラウドＣＤに接続されたサーバ等は、複数台のカメラ映像を組み合わせて、映像を作成して良い。
また、情報処理装置１は、ある地点を指定すると、その前を通過した映像を時間順で最新のものから表示して良い。
この様にすることにより、ユーザは、例えば、ラーメン店の行列の映像ＲＭを携帯情報端末で事前に閲覧し、有名ラーメン店の前に並んでいる人の数を確認したり、ガソリンスタンドの映像ＧＳの価格情報を見るといった利用が可能となる。
上記に加えて、ある地点を指定した場合に、それ以降にその場所の画像が撮られる度にユーザに通知を出して良い。
更に、クラウドＣＤに接続されたサーバ等は、上記データからリアルタイムのガソリンスタンドの値段を一覧できるデータベースを作成して良い。
【００７９】
従来の情報処理装置では、本体とカメラは固定されており、本体の向きとカメラの向きは同じであったが、カメラが回転する情報処理装置１の場合は、本体とカメラの向きは、異なっている場合が多いので、それぞれに向きを判定する仕組みが情報処理装置１には必要となる。
そこで、本発明の情報処理装置１の一実施形態は、図１０又は図１１に示すように、被写体を撮像する撮像部と、前記撮像部により撮像される前記被写体を含む撮像画像を表示する表示部が所定の一面に配置された、前記撮像部よりも容積が大きい本体部と、前記撮像部の光軸方向と前記表示部の法線方向とのなす角度を変化させるように前記撮像部を、前記表示部の短手方向に平行な回転軸で両持ち軸支しながら、前記本体部に対して相対的に回動可能に支持するヒンジ部と、前記本体部の前記一面と対向する他の一面に設けられ、前記ヒンジ部により前記他の一面側に回転された前記撮像部を前記本体部と厚み方向で重なる形で収容可能な凹みと、前記本体部に配置され、単体で前記本体部の方向を検出する第１センサと、前記撮像部に配置され、単体で前記撮像部の方向を検出する第２センサと、を備える。そして、前記第２のセンサにより検出された前記撮像部の方向に基づき、デジタル写真ファイルに方向の情報を付与するよう構成される。
本発明の情報処理装置１の一実施形態によれば、図１０又は図１１に示すように、ホール素子で、カメラの画面との相対角度に合わせて画面を切り替えて、加速度センサで、写真の方向の情報を付加する。
図１０は、情報処理装置１が横位置の状態で、本体とは異なる方向に向けたカメラによる撮像時の方向の情報を写真に付加している様子、ならびに表示の仕方を示す図である。
図１０（Ａ）は、横位置の状態での使用状態であり、回動軸Ｚ１及び回動軸Ｚ３を中心にカメラ２１を回動させた場合の共通の本体姿勢を示している。即ち、表示部１３は略垂直でユーザ側に向けられており、表示部１３の背面側には、リアカメラであれば撮像可能な位置関係に、被写体が存在していることを示している。
図１０（Ｂ）は、横位置の状態での、通常のリアカメラと同様の使用状態であり、本体と同じ、上下（天地）の情報が、写真に付加される。
図１０（Ｃ）は、横位置の状態で、回動軸Ｚ１を中心にカメラ２１を９０度回動した状態である。係る状態においては、情報処理装置１は、上下については表示を反転させないが、左右については鏡モードがＯＮであれば、表示が左右で反転する切り替えポイントである。鏡モードとは、ディスプレイに表示しているカメラの撮像画像を左右反転させて鏡のように表示し、撮影するモードのことで、通常、情報処理装置は、ＯＮになっている場合が多い。もちろん、ユーザが設定することも可能になっている場合が多い。即ち、回動軸Ｚ１を中心にカメラ２１を略９０度以上又は略９０度を超えて回動させることにより、左右については鏡モードがＯＮの場合、反転をさせることとなる。
図１０（Ｄ）は、横位置の状態で、回動軸Ｚ１を中心にカメラ２１を１８０度回動した状態である。係る状態においては、上下は反転させないが、鏡モードがＯＮなら、左右を反転させる。
図１０（Ｅ）は、横位置の状態で、回動軸Ｚ１を中心にカメラ２１を１８０度回動させ、回動軸Ｚ３を中心にカメラ２１を４５度回動した状態である。係る状態においては、上下は反転させないが、鏡モードがＯＮなら、左右を反転させる。
図１０（Ｆ）は、横位置の状態で、回動軸Ｚ１を中心にカメラ２１を１８０度回動させ、回動軸Ｚ３を中心にカメラ２１を９０度回動した状態である。係る状態においては、上下については反転を切替ポイントであると同時に、左右についても、反転をさせる鏡モードがＯＮなら、表示の切替ポイントである。
図１０（Ｇ）は、横位置の状態で、回動軸Ｚ１を中心にカメラ２１を１８０度回動させ、回動軸Ｚ３を中心にカメラ２１を１８０度回動した状態である。係る状態においては、上下については反転させ、左右については（Ｃ）の段階と、（Ｆ）の段階で切り替わり、もとに戻ったので、反転をさせない。
【００８０】
図１１は、図１の情報処理装置が縦位置の状態で、本体とは異なる方向に向けたカメラによる撮像時の上下（天地）の情報を写真に付加している様子、ならびに表示の仕方を示す図である。
図１１（Ａ）は、縦位置の状態での使用状態であり、回動軸Ｚ１及び回動軸Ｚ３を中心にカメラ２１を回動させた場合の共通の本体姿勢を示している。即ち、表示部１３は略垂直でユーザ側に向けられており、表示部１３の背面側には、リアカメラであれば撮像可能な位置関係に、被写体が存在していることを示している。
図１１（Ｂ）は、縦位置の状態での、通常のリアカメラと同様の使用状態であり、本体と同じ、上下（天地）の情報が、写真に付加される。
図１１（Ｃ）は、縦位置の状態で、回動軸Ｚ１を中心にカメラ２１を９０度回動した状態である。係る状態においては、上下については反転する切替ポイントであると同時に、左右についても、反転をさせる鏡モードがＯＮなら、表示の切替ポイントである。
図１１（Ｄ）は、縦位置の状態で、回動軸Ｚ１を中心にカメラ２１を１８０度回動した状態である。係る状態においては、上下については反転させ、鏡モードがＯＮなら、左右についても反転をさせる。
図１１（Ｅ）は、縦位置の状態で、回動軸Ｚ１を中心にカメラ２１を１８０度回動させ、回動軸Ｚ３を中心にカメラ２１を４５度回動した状態である。係る状態においては、上下については反転させ、鏡モードがＯＮなら、左右についても反転をさせる。
図１１（Ｆ）は、縦位置の状態で、回動軸Ｚ１を中心にカメラ２１を１８０度回動させ、回動軸Ｚ３を中心にカメラ２１を９０度回動した状態である。係る状態においては、上下については反転させる。左右については、鏡モードがＯＮなら、反転をさせる切り替えポイントである。
図１１（Ｇ）は、縦位置の状態で、回動軸Ｚ１を中心にカメラ２１を１８０度回動させ、回動軸Ｚ３を中心にカメラ２１を１８０度回動した状態である。係る状態においては、上下については反転させ、左右については、左右については（Ｃ）の段階と、（Ｆ）の段階で切り替わり、もとに戻ったので、反転をさせない。
【００８１】
従来の情報処理装置でも、例えばサムスン社の製品である「Ｇａｌａｘｙ ｎｏｔｅ  ９」のようにシャッターリモコンを本体から取り外し可能としているものがあるが、そのシャッター用のボタンは、本体に装着された状態では押すことができなかった。
本発明の情報処理装置１の一実施形態によれば、図１２に示すように、シャッターリモコンＲＣを情報処理装置１の本体から取り外し式にする。
図１２（Ａ）は、本体に装着した状態のシャッターリモコンＲＣを示している。
シャッターリモコンＲＣは本体の横に固定することにより、シャッターリモコンＲＣが備えるシャッターボタンを本体装着時にも押せるようにする。なお、シャッターリモコンＲＣのボタンより先の部分は、本体内部に収納されて良い。また、シャッターリモコンＲＣは、本体装着時は、本体から電力の供給を受けて良い。また、シャッターリモコンＲＣは、本体装着時は、本体と接触式で通信をして良い。これにより、ディスプレイ上に表示されるボタン以外に、物理的なシャッターボタンを設けることができ、使い勝手及び操作感が向上する。
図１２（Ｂ）は、本体から取り外した状態のシャッターリモコンＲＣを示している。
即ち、本体装着時もボタンを押すとシャッターを切ることができ、本体から外しても、電池またはキャパシタに電気を蓄えることによって、シャッターをリモートで切ることができる。
また、シャッターリモコンＲＣにマイクが搭載されていて、音声でコマンドをリモートで情報処理装置１に送ることができて良い。
【００８２】
図１３は、図１の情報処理装置とは異なる、固定式カメラを備える情報処理装置ＳＰのフロントカメラの前に鏡ＭＬをセットして、本の自動翻訳や領収書データの読み込みをしている様子を示す図である。
図１３（Ａ）は、フロントカメラの前に鏡ＭＬをセットして、本の自動翻訳をしている例での様子を示している。
図１３（Ｂ）は、実際の鏡ＭＬによる反射画像の例を示している。
図１３（Ｃ）は、台ＢＳに乗せた固定式カメラを備える情報処理装置ＳＰのフロントカメラの前に鏡ＭＬをセットした場合の撮像可能範囲の例を示している。
最初に、情報処理装置ＳＰのフロントカメラに鏡ＭＬを取り付け、情報処理装置ＳＰの本の自動翻訳音読アプリを起動し、翻訳先の言語を指定する。初期設定はＯＳの言語で良く、次回以降は、この指定を省略しても良い。本の翻訳＋音読アプリで鏡ＭＬに写った書物のタイトルをフロントカメラで撮影する。
ただし、フロントカメラで撮影する場合、鏡ＭＬを取り付けると、プロントカメラで撮像される画像は、鏡像になり、鏡モードがＯＮであれば、鏡像の鏡像になるため、正しい向きに戻るので、鏡モードはＯＮにする必要がある。
その後、必要に応じて、撮影した画像の補正を行う。例えば、本の回転、本の湾曲補正、本の台形補正、本のコントラストの調整、本部分だけの切り抜き、写り込んでしまった指の削除等を行い、文字を認識しやすい状態に変換してから、ＯＣＲ（Ｏｐｔｉｃａｌ  Ｃｈａｒａｃｔｅｒ  Ｒｅｃｏｇｎｉｔｉｏｎ／Ｒｅａｄｅｒ）を掛けることで、一つの文字や数字や単語ではなく、テキストを文章として認識及び抽出する。テキストの内容から、本に記載されている言語を特定する。これらの処理の際に、ＡＩによる画像認識、ＡＩによる文章解析を行い、ＯＣＲでテキスト化したことで誤読しているテキストを自動またはユーザによる手入力で修正する。テキストデータは、クラウドＣＤの翻訳サービスに送信され、元の言語を認識し、設定中の言語に翻訳を行い、対訳データを瞬時に情報処理装置ＳＰに送信する。
【００８３】
なお、本実施形態では、クラウドＣＤの翻訳サービスを用いて翻訳したが、この他、情報処理装置ＳＰ単体で翻訳してもよい。必要に応じて、翻訳されたテキストデータから音読データを作り出す。音読データは、クラウドＣＤで作成しても良く、また情報処理装置ＳＰ単体で作成しても良い。
その後、情報処理装置ＳＰの表示部に、元の本の言語のテキストと翻訳した言語のテキストとを共に表示し、情報処理装置ＳＰのスピーカで音読データを再生する。
元の本のテキストデータとその対訳データ以外にも、現在、フロントカメラが撮影中の画像を小さく表示しても良い。これにより、ユーザは、フロントカメラから本がずれている等の情報がほぼリアルタイムで把握できる。表示されたテキストに対してユーザが修正を加えたい場合は、修正機能によりテキストを修正可能とした上で手入力で行う。これは、翻訳動作の途中に割り込ませることになる。
本のタイトルが確定した際には、そのタイトルと既存の本のデータベースや既に電子書籍化されたリファレンスデータに同一のものがないかを検索し、以前の翻訳終了位置がわかれば、それをユーザに情報処理装置ＳＰを通じて伝えるようにしても良い。
【００８４】
次に、本の中身の翻訳プロセスを説明する。
上述したタイトルの翻訳プロセスとほぼ同じであるが、前のページで完成していない文章があれば、今のページの文章と合わせて、１文として完成させてから翻訳することが、違いである。
更に、過去のデータベースやリファレンスデータと同じデータがあれば、その過去のデータやリファレンスデータをもってくることも追加プロセスとして考えられる。
翻訳したいページがまだあれば、本のページをめくる、または隣の次のページを撮影することで、再度、翻訳のプロセスがスタートする。
本発明は、書物の１ページ１ページをいちいちシャッターを押すことなく静止画として撮影し、ページがめくられたことや撮像画像が大きく変わったこと、例えば、カメラが撮影しているページをユーザが意図的に左のページから右のページにずらしたりしたときに、これを検出してページを再度読み込み、前述した一連の翻訳のプロセスを繰り返し、翻訳を行う。
ページの再読込は、音声で行っても良く、また音で行っても良い。さらに、ページの再読込は、画面上のボタンやリモコンで行っても良い。
これ以外にも、一部を翻訳して途中から翻訳プロセスをスキップして、翻訳済みの電子書籍化されたリファレンスデータを使っても良い。一度翻訳を行い、翻訳を停止した際には、ページとページ内の位置を覚えておき、次回、再開するときには、翻訳を停止したページを表示や音読でユーザに通知しても良い。
音読プロセスは、翻訳プロセスとほぼ同様で、翻訳を掛けずにＯＣＲでテキスト化したデータを音読することになる。音読のプロセスは、翻訳のプロセスから翻訳する箇所だけを抜いたものになる。
本に限らず、紙媒体のテキスト化もほぼ同様で、翻訳や音読のプロセスをスキップし、テキストを表示させたものになる。表示するだけではなく、領収書などのデータは、入力項目を理解し、適切な項目として、数字やテキストを自動でカラムに入力する。例えば、領収書の金額や日付や宛名などを正しく自動入力できる。
スマートフンタイプの情報処理装置以外にも、ノート型のコンピュータ（以下「パソコン」と呼ぶ）のフロントカメラに鏡ＭＬを装着して、机の上のユーザ本や領収書などの紙のデータを読み取ることも可能である。
パソコンのフロントカメラに付ける鏡の場合、パソコンの表示部の上にカメラが搭載していることが多く、表示部の角度はユーザが自由に変えられるので、鏡の角度を自由に変えられる回転機構を搭載しても良い。
撮影された本、領収書などにＯＣＲを掛けることで、テキストデータを認識し、入力することができるようになる。ユーザは、情報処理装置１をほとんど操作する必要なく、領収書などを並べることに集中するだけで良く、動作が大幅に省略できる。特に机のような平面の上でやると、領収書などを並べやすい。
更に、情報処理装置ＳＰに取り付ける鏡ＭＬは、普通の平面の鏡ではなく、凸面鏡等の広角鏡を使えば、より広い画角で撮影できるので、書物を見開きでフロントカメラで撮影でき、書物を左右に移動させたりする手間を省くことができる。また、情報処理装置ＳＰを置くスタンドの高さを低くできるメリットもある。ただし、このようなメリットだけではなく、デメリットとしては、歪が大きく撮影されてしまうので、撮像画像については補正が必要になる場合がある。
【００８５】
従来の情報処理装置（例えはスマートフォン）では、屋外を歩きながら、ＡＲのゲームを楽しむ際には、スマートフォンを垂直に立てながら、周辺を撮影する必要があり、歩きながら、スマートフォンを垂直に保つのは、不自然な持ち方になり、疲れてしまう。よって、ＡＲによる歩きながらのゲームは一般的ではなく、ほとんど使われていない。よって、歩行者（Ａ）Ｒゲームはあまり行われていない。
本発明の情報処理装置１の一実施形態によれば、図８に示したように、２軸回転カメラ、１軸回転カメラ、又は３６０度カメラで撮影した画像に対して、ディスプレイを見やすい角度で保持した状態でカメラを進行方向に向けることができるので、ＡＲによるゲームが行える。よって、同時に参加している人と協力するとか戦うなどが、可能となる。
即ち、図１４に示す例においては、２人のプレーヤの位置に応じて、１のゲームキャラクタＧＣを、情報処理装置１−１には背後から撮像しているとするＡＲのゲーム画像Ｇ１が表示され、情報処理装置１−２には正面から撮像しているとするＡＲのゲーム画像Ｇ２が表示されるのである。
【００８６】
従来の情報処理装置では、カメラが電動で回転したりしないので、音源ＳＳを追跡して撮影することは容易ではなかった。
本発明の情報処理装置１の一実施形態によれば、図１５に示すように、２軸回転カメラ、１軸回転カメラで撮影している最中に、複数のマイクを使って、音が鳴っている方向に電動でカメラを向かせる機能である。即ち、音と何かしら連動してカメラ２１が回転する機能を提供することができる。
ユーザは、自分たちで撮影出来ていることをある程度確認できるように、情報処理装置１を机等の上に置くことが好適である。
【００８７】
従来の情報処理装置では、紙媒体等に記載された問題を教育に利用することは、容易ではなかった。紙をカメラで撮影するには、ある程度の高さが必要となり、従来の情報処理装置では、フロントカメラで紙を撮影するには、前述したような鏡を使うか、カメラが回転する必要があるからである。
本発明の情報処理装置１の一実施形態によれば、図１６に示すように、２軸回転カメラ、１軸回転カメラ、又は３６０度カメラで紙等に書かれた問題を撮影すると、自動で、ＡＩが問題のヒント、例えば、図形問題の補助線ＡＬを引く等が与えられる。
図１６（Ａ）は、情報処理装置１を用いて問題用紙ＱＰを撮像する様子を示している。
図１６（Ｂ）は、問題用紙ＱＰに記載された問題から、処理の対象とする問題ＰＱが、情報処理装置１に認識されたことを示している。
図１６（Ｃ）は、問題ＰＱについて、情報処理装置１が備えるＡＩがヒント、例えば、図形問題の補助線ＡＬを引く等、を与えている問題画像ＱＧの例を示している。
図１３のような鏡をフロントカメラに装着して、このような問題を撮影し、問題のヒントを与えても良い。
【００８８】
従来の情報処理装置では、折りたたみ式のスタンドで自立安定させることは容易ではなかった。
本発明の情報処理装置１の一実施形態によれば、図１７に示すように、折りたたみ式のスタンド１４は、スマートフォン本体の重心を考慮して配設する。
図１７（Ａ）は、情報処理装置１を自立させた場合の、情報処理装置１本体と、折りたたみ式のスタンド１４とが接地する３点で囲まれる領域を示す図である。
即ち、情報処理装置１を、例えば机に置いた場合に、机の表面に三角形を描くとして、三角形の頂点は、机と接しているスタンド１４の先端の頂点ＶＡ、情報処理装置１の本体角の頂点ＶＢ、及び情報処理装置１の本体角の頂点ＶＣの３つになることを示している。
図１７（Ｂ）は、情報処理装置１を自立させた場合における、情報処理装置１本体の重心の位置と、接地する３点で囲まれる領域との、真上から見下ろした場合の位置関係を示す図である。
即ち、情報処理装置１本体の重心Ｇの位置の真下にある点が、接地する３頂点ＶＡ、ＶＢ及びＶＣで囲まれる領域内であって、これらの２点を繋ぐ直線である如何なる３辺からも遠く、かつ、情報処理装置１本体の重心Ｇを低くすることを考慮して、折りたたみ式のスタンド１４を配設する。
この様にすることにより、情報処理装置１を自立させた場合に、より安定させることが可能になる。
スタンドと机との接点が、図１７（Ａ）のように１つではなく、接点が複数、例えば、２つあるときであれば、情報処理装置１の本体角の頂点ＶＢ、及び情報処理装置１の本体角の頂点ＶＣの２点と合わせて、４点で構成される四角形の中に、真上から見下ろした場合の情報処理装置１本体の重心Ｇがはいれば、情報処理装置１を自立させた場合に、より安定させることが可能になる。
【００８９】
従来の情報処理装置では、写真を撮影しようとしている位置の情報に基づいて、過去に撮影された写真の中から、同じまたは近い位置で撮影された写真を探し出す機能は無かった。
本発明の情報処理装置１の一実施形態によれば、図２７に示すように、同じロケーションで撮影した過去の写真の存在を教示し、当該写真を表示する。この様にすることにより、ユーザは、例えば過去、子どもたちとこの場所で撮った写真と同じポーズを取って撮像し、情報処理装置１は、並べて対比して表示する等が可能となる。
この場合に、情報処理装置１は、自宅等を非表示エリアとして、機能を制限して良い。この様にすることにより、情報処理装置１は、大量の写真が該当することを防ぐことができる。
図１８（Ａ）は、同じロケーションで撮影した過去の写真ＯＰの存在を教示するメッセージＭＳの例を示している。
図１８（Ｂ）は、同じロケーションで撮影した過去の写真ＯＰの小窓表示と、半透過でカメラ撮像画像との重ね合わせ表示をさせる半透過ボタンＨＢの表示の例を示している。
図１８（Ｃ）は、同じロケーションで撮影した過去の写真ＯＰの半透過画像と、カメラ撮像画像との重ね合わせ表示の例を示している。
【００９０】
従来の情報処理装置では、分からない単語や食事の名称を検索する際には、テキストや写真情報から、検索するしかなく、検索された場所に基づいて該当する写真をＷＥＢ上から探し当てることは容易ではなかった。
本発明の情報処理装置１の一実施形態によれば、図２８に示すように、例えばレストランメニューＭＮを撮影し、撮影した画像中の料理名ＯＷをなぞると、翻訳文ＴＷが表示されるだけではなく、ＧＰＳやＷｉ−Ｆｉ（登録商標）の検索位置情報から、同じエリアで撮影された該当する料理画像写真ＩＭを表示するアプリケーションソフトウェアを提供する。これにより、精度の高い写真検索が可能になる。
更に、料理名ＯＷが地名由来である場合、情報処理装置１は、該当地点を表示する地図ＭＰ及び地名ＰＷを、表示する。
【００９１】
図２０は、情報処理装置１がスライド式回転カメラを備える場合における、形状を変化させた各状態を示す図である。
即ち、本体が、表示部１３を備える正面側と、回転カメラ２１のカメラ基部１２−１及びカメラ指向部１２−２を備える本体部１１の背面側との少なくとも２つの部位からなるスライド可動部から構成されている情報処理装置１における、各状態を示している。
【００９２】
図２０（Ａ）は、２つのスライド可動部分を、最大限重ねた状態を示す図である。
図２０（Ｂ）は、２つのスライド可動部分を、最大限スライドさせた状態を示す図である。なお、図中、符号Ｐは、カメラ指向部１２−２（回転カメラ２１）の回転方向を示している。
図２０（Ｃ）は、２つのスライド可動部分を、最大限スライドさせて、回転カメラ２１を回転させた状態を示す図である。表示部１３と本体部１１とを相対的にスライドさせることによって、カメラ基部１２−１とカメラ指向部１２−２を含むカメラ部全体を１８０度以上回転させることが可能になっている。相対的にスライドとは、本体部１１をもって表示部１３を指で押してスライドさせたり、その逆もあることをいう。
【００９３】
スライド式回転カメラを備える情報処理装置１は、被写体を撮像する撮像部と、前記撮像部と厚み方向で重なり、前記撮像部により撮像される前記被写体を含む撮像画像を表示する表示部と、前記撮像部の光軸方向と前記表示部に対する法線方向とのなす角度を変化させるように、前記撮像部を前記表示部の短手方向に平行な第１の回転軸で両持ち軸支しながら、本体部に対して相対的に回動可能に支持するヒンジ部と、を備える。
前記撮像部は、前記第１の回転軸が表示部と厚み方向で重なる位置から重ならない位置まで、前記表示部に対して、相対的に平行移動可能である。
情報処理装置１の場合、スライド可動部分を最大限スライドさせた状態では、回転カメラ２１は、０°から２７０°、さらにそれ以上の範囲が可動域となる。
なお、０°は、回転カメラ２１が本体部１１の溝又は切り欠き部に収容された状態（回転カメラ２１と本体部１１が厚み方向に重なった状態）である。１８０°は、回転カメラ２１が本体部１１の外部で直線状に並んだ状態である。１８０°を超えると、回転カメラ２１は、本体部１１の正面１１ａ側に突出し、２７０°では、回転カメラ２１の光軸が本体部１１の真下に向いた状態である。
この様にすることにより、情報処理装置１は、表示部１３の画面占有率を最大化しつつ、回転カメラの為の切り欠きを作らないデザインとすることが、可能となる。加えて、手などによる手動操作やボタンを押すなどの電動操作によって、表示部１３をスライドさせると、カメラが自動で回転しても良い。これは、ねじりコイルばねや、モータによる電動回転でも行っても良い。
【００９４】
図２１は、図１の情報処理装置１の、２軸回転機構部の構造を示す図である。
図２１（Ａ）は、２軸回転機構部の筐体を示す図である。
図２１（Ｂ）は、２軸回転機構部として、２軸ヒンジを使用した場合を示す図である。
【００９５】
図２１（Ｃ）は、２軸回転機構部として、筐体そのものに回転軸を含むヒンジ機構を設けた構成例を示す図である。
【００９６】
図２０（Ａ）乃至図２１（Ｃ）に示すように、情報処理装置１は、被写体を撮像する撮像部と、前記撮像部と厚み方向で重なり、前記撮像部により撮像される前記被写体を含む撮像画像を表示する表示部と、前記撮像部の光軸方向と前記表示部に対する法線方向とのなす角度を変化させるように、前記撮像部を前記表示部の短手方向に平行な第１の回転軸で両持ち軸支しながら、前記本体部に対して相対的に回動可能に支持するヒンジ部とを備える。
前記撮像部は、前記第１の回転軸が表示部と厚み方向で重なる位置から重ならない位置まで、前記表示部に対して、相対的に平行移動可能である。
前記撮像部は、前記ヒンジ部を駆動し前記撮像部を回転させる駆動部と、前記撮像部に対する移動指示に応じて、前記撮像部を指示方向へ回転させるように前記駆動部を制御する制御部とを含む。
前記撮像部は、前記表示部の長手方向に平行な第２の回転軸で回動可能である。
前記撮像部は、前記表示部と厚み方向で重ならない位置で、前記第２の回転軸で回動可能である。
前記表示部は、前記移動指示をタッチ操作で行うためのタッチパネルを含む。
前記ヒンジ部は、前記表示部の短手方向に対して平行に配置された第１の回転軸と、前記表示部の長手方向に対して平行に配置された第２の回転軸とを備える。前記第１の回転軸は、前記第２の回転軸を中心に前記撮像部を回動させる際、前記撮像部の回転に合わせて回転しないよう構成されている。
【００９７】
２軸回転機構部を駆動するモータやユーザの画面操作や遠隔からの操作に応じてモータを制御するコントローラ等を筐体内に設けるものとする。コントローラとして、特別なものを設けるのではなく、情報処理装置１のＣＰＵにコントロールさせてもよい。
回転軸ＨＳ１、ＨＳ３の内部には、軸方向に貫通する空洞を設けて、中にＦＰＣを通す、または、回転軸ＨＳ１、ＨＳ３の周りにＦＰＣを巻く等の配線の実現方法が考えられる。
この様にすることにより、情報処理装置１は、２軸ヒンジを使用する場合と比較して、２軸回転機構部を、小型化することができる。
【００９８】
図２２は、図１の情報処理装置の表示部の切欠き部に回転カメラを備える場合における、形状を変化させた各状態を示す図である。
図２２（Ａ）は、カメラをリアカメラとする状態を示す図である。
図２２（Ｂ）は、カメラを回転させた状態を示す図である。
図２２の情報処理装置１は、表示部１３の一部を切り欠き（ノッチと呼ばれるもの）を設けて、当該切欠き部分に回転式カメラを備えている。
この様にすることにより、表示部１３の本体に対する画面占有率を最大化しつつ、カメラ基部１２−１とカメラ指向部１２−２を１８０度以上回転させることが可能になっている。
【００９９】
一般に、自分が理解できない言語で書かれた書物を読むためには、その言語を習得し意味を理解するか、自分の母国語に翻訳されるまで待つ必要があり、海外の話題の本をすぐに読みたい人にとっては、大きなハードルがあった。日本で外国語の書物を読みたい人だけではなく、外国人も同じハードルがある。例えば、日本の漫画がすぐに母国語に翻訳されない時や、日本に居る外国人には、日本のガイドブックが分からない、日本で暮らす外国人にとって、外国人の子供の学校で配布されるプリント等の意味が分からないという不満を良く聞く。
このような不満を解決する方法の一つとして、図１３のような形態で翻訳することが考えられる。
以下、翻訳機能とこの翻訳機能に加えて音読機能とを備える情報処理装置ＳＰについて説明する。
（翻訳機能＋音読機能）
図１３に示した状態の情報処理装置ＳＰとクラウドＣＤ（図示せず）を含むシステムが行う翻訳及び音読の機能について詳細に説明する。クラウドＣＤは、ＡＩ翻訳機能や音読データ生成機能等を搭載するサーバである。
このシステムは、情報処理装置ＳＰとクラウドＣＤがネットワークを介して接続されたものである。情報処理装置ＳＰとクラウドＣＤとの間では、情報のやり取りが行われる。例えば情報処理装置ＳＰは、フロントカメラで撮像した画像を含む翻訳や音読の処理の要求をクラウドＣＤへ送信し、要求に対してクラウドＣＤで処理した結果としてテキストデータや音読データを含む応答を受信する。
【０１００】
情報処理装置ＳＰは、装置本体に、無線通信部、ＣＰＵ、メモリ、表示部、スピーカ、マイク、カメラを含む撮像部等を備える。無線通信部は、携帯通信網や無線ＬＡＮ等を通じて他の情報処理装置（他のスマートフォンやクラウドＣＤのサーバ等）と通信を行う。メモリには、翻訳及び音読の処理を実行するアプリケーションソフトウェア（以下「自動翻訳音読アプリ」と称す）のソフトウェアがインストールされており、ＣＰＵがメモリの自動翻訳音読アプリを読み込むことで、翻訳と音読の機能を実現する。
自動翻訳音読アプリを読み込んだＣＰＵは、撮像部の光軸方向を屈折させる、装置本体とは別体の鏡ＭＬを介して、本を撮影させて得られた撮像画像をクラウドＣＤに送信し、クラウドＣＤにより、撮像画像に基づいて生成された文字列に対応するテキストデータを受信し、装置本体の表示部に表示する制御手段として機能する。
【０１０１】
即ち、自動翻訳音読アプリは、文章が記載されたが本を撮像するカメラと、カメラにより撮像される撮像画像やテキストデータなどを表示できる表示部とを備える情報処理装置ＳＰで利用される。なお、文章は、縦書きであってもよい。
【０１０２】
自動翻訳音読アプリは、装置本体に搭載される撮像部により、撮像部の光軸方向を屈折させる、装置本体とは別体の鏡ＭＬを介して、文字列が配置された記録媒体を撮影させるステップと、その撮像画像をクラウドＣＤに送信させるステップと、撮像画像に基づいて文字列に対応するテキストデータを生成させるステップと、テキストデータを情報処置装置の表示部に表示するステップとを実行させるコンピュータプログラムである。
具体的に説明すると、自動翻訳音読アプリは、情報処置装置の本体に取り付けられた鏡ＭＬを介して屈折させた光軸の方向から文章が記載された本を撮像部のカメラに撮影させ、撮像された写真をクラウドＣＤに送信し、クラウドＣＤにより、撮像画像に基づいて生成された文章に対応するテキストデータを受信し、受信したテキストデータと撮像部のカメラによりほぼリアルタイムで撮像される撮像画像とを共に提示するＵＩ画面を表示部に表示する機能を有する。文章は縦書きであっても横書きであってもよい。
さらに、この自動翻訳音読アプリは、撮像画像を、クラウドＣＤ上で、テキストデータを生成するために適した画像に補正する画像補正機能を有する。自動翻訳音読アプリは、テキストデータの翻訳及び音読のうち少なくとも一方を行う処理機能を有する。
また、自動翻訳音読アプリは、テキストデータが文章として未完成の場合、撮像画像の他の部位又は次の撮像画像から得られたテキストデータと結合して１つの文章を完成させる結合機能を有する。
【０１０３】
なお、上記実施形態では、自動翻訳音読アプリを、図１３に示した情報処理装置ＳＰにインストールして翻訳及び音読等の機能を実現したが、この他、自動翻訳音読アプリを情報処理装置１にインストールして翻訳及び音読等の機能を実現しても良い。
この場合、情報処理装置１は、図２０乃至図２２に示した、文章が記載された本を撮像する回転カメラ２１と、回転カメラ２１により撮像される撮像画像やテキストデータ等を表示できる表示部１３とを備える。情報処理装置１の回転カメラ２１は、光軸が情報処理装置１の本体部１１の背面側からテキストデータが提示される正面側に向くように回転機構により回動可能に支持されている。
このような情報処理装置１にインストールされる自動翻訳音読アプリは、文章が記載された本を撮影した写真をクラウドに送信することで、クラウドにより、撮像画像に基づいて生成された文字列に対応するテキストデータを受信し、受信したテキストデータと回転カメラによりほぼリアルタイムに撮像されている撮像画像とを共に提示する提示機能を有する。
また、この自動翻訳音読アプリの提示機能は、前記文字列が配置された媒体の前記テキストデータまたは前記媒体に記載のバーコード情報から、過去の前記テキストデータまたは前記バーコード情報と所定の関連付けられたリファレンスデータを参照し、前記リファレンスデータを提示する。
自動翻訳音読アプリは、クラウドに送信された撮像画像に対して、左右反転、上下反転、回転、文字列が配置された媒体部の湾曲補正、文字列が配置された媒体部の台形補正、コントラストの調整、文字列が配置された媒体部だけの切り抜き、写り込んでしまった指の画像の削除のうちの少なくとも一つの画像補正を行う補正機能を有する。
【０１０４】
ここで、図２３を参照して自動翻訳音読アプリのＵＩについて説明する。
自動翻訳音読アプリは、ユーザが情報処理装置ＳＰの画面に表示されているアイコンをクリック操作することで起動し、表示部の画面に、図２３に示すユーザインターフェース３１（以下「ＵＩ３１」と称す）を表示する。
【０１０５】
図２３に示すように、ＵＩ３１には、表示エリア３２、表示エリア３３、言語指定部３４、撮像画像表示エリア３５、修正ボタン３６、３７、スクロールバーＳ１、Ｓ２等が配設されている。
表示エリア３２は、撮像画像の文字認識処理（ＯＣＲ）により得られた翻訳元のテキストが行方向（横方向）に画面端で折り返して表示されるエリアである。表示エリア３３は、翻訳元のテキストを翻訳先の言語に翻訳（変換）したテキストが行方向（横方向）に画面端で折り返して表示されるエリアである。
言語指定部３４は、翻訳元の言語と翻訳先の言語を指定する部位であり、翻訳元言語を指定するためのプルダウンメニューと翻訳先言語を指定するためのプルダウンメニューが設けられている。
撮像画像表示エリア３５は、フロントカメラにより撮像される撮像画像がリアルタイムに表示されるエリアであり、撮像画像が縮小表示される。
修正ボタン３６は、クリック操作されることにより、自動翻訳音読アプリのテキスト編集機能が起動し、表示エリア３２のテキストの修正が可能になる。修正ボタン３７は、クリック操作されることにより、自動翻訳音読アプリのテキスト編集機能が起動し、表示エリア３３のテキストの修正が可能になる。
スクロールバーＳ１は、表示エリア３２を超える行のテキストをユーザの操作で画面の長手方向にスクロール表示するためのものである。スクロールバーＳ２は、表示エリア３３を超える行のテキストをユーザの操作で画面の長手方向にスクロール表示するためのものである。
自動翻訳音読アプリでは、ＵＩ３１から機能選択ボタンで翻訳か音読の何れかを選択することで夫々の機能が動作する。
クラウドＣＤは、例えば翻訳や音読の処理を行うサーバ等であり、情報処理装置ＳＰの自動翻訳音読アプリからの画像を含む画像処理の要求を受けて翻訳処理及び音読処理を行い、要求に対する応答として翻訳結果及び音読結果のテキストデータ及び音読データを情報処理装置ＳＰの自動翻訳音読アプリに返信する。
【０１０６】
ここで、図２４及び図２５のフローチャートを参照して、翻訳及び音読の動作例を説明する。図２４及び図２５は、情報処理装置ＳＰとクラウドＣＤを含むシステムにおける翻訳及び音読のプロセスを示すフローチャート例である。
図２４のステップＳ１０１において、鏡ＭＬをフロントカメラに対応させて装置本体に取り付ける。
ユーザは、読み取り対象のページを開いた本を読み取り台（図１３（Ｃ）参照）にセットし、ステップＳ１０２において、情報処理装置ＳＰのアイコンをクリックし、自動翻訳音読アプリを起動し、これにより表示部にＵＩ３１が表示される。
ステップＳ１０３において、ユーザがＵＩ３１の言語指定部３４のプルダウンメニューから翻訳元と翻訳先の言語を選択し指定すると、自動翻訳音読アプリは、フロントカメラを起動し、ステップＳ１０４において、フロントカメラにより読み取り対象の本のタイトルを含むページの画像が撮像される。なお、翻訳元の言語ならびに翻訳先の言語は、予め所定の言語（例えば「日本語」や「英語」等）が規定値として設定されていてもよく、翻訳元の言語は、後述するＳ１０７で自動で判定しても良い。フロントカメラにより撮像されたページを含む画像は、ＵＩ３１の上部の撮像画像表示エリア３５に画角（縦横比）を保持したまま縮小表示される。撮像画像表示エリア３５では、本のページがフロントカメラの撮像エリア３５からずれているかどうかを確認することができる。
【０１０７】
ユーザは、撮像画像表示エリア３５の撮像画像を確認することで、撮像画像表示エリア３５内に本の読み取り対象ページ全体が入るように本の位置又は情報処理装置ＳＰ全体の位置を調整し撮像範囲を調整する。撮像範囲が調整されると、自動翻訳音読アプリは、調整された撮像範囲で撮像した撮像画像をクラウドＣＤへ送信する。
ステップＳ１０５において、クラウドＣＤでは、サーバが、情報処理装置ＳＰの自動翻訳音読アプリから受信した撮像画像に対して、左右反転、上下反転、回転、文字列が配置された媒体部の湾曲補正、文字列が配置された媒体部の台形補正、コントラストの調整、文字列が配置された媒体部だけの切り抜き、写り込んでしまった指の画像の削除等の画像の補正を行い、本１ページ分の幅や文字列の位置を検出する。
ステップＳ１０６において、サーバは、向き等を補正した撮像画像から文字認識することで、テキストデータ（以下「テキスト」と称す）を抽出する。文字認識をＯＣＲと呼ぶ。
ステップＳ１０７において、サーバは、抽出したテキストから本に記載されている文字の言語を判定する。
ステップＳ１０８では、サーバは、必要に応じて、判定した文字の言語に基づいてテキストを補正する。「必要に応じて」とは、例えば誤読しやすい文字や未認識文字が多く文字認識率が一定値より低い場合等である。加えて、本や章のタイトルやページ数をテキストに含めない、漢字にルビ（よみ）が振られている場合は、重複して取り込まない、といった補正が加えられる。
ステップＳ１０９では、サーバは、ＡＩ翻訳機能によりテキストを、指定言語に翻訳する。
ステップＳ１１０では、サーバは、音読データ作成機能により、翻訳したテキストから音読データを生成し、処理結果のデータを情報処理装置ＳＰへ送信する。処理結果のデータは、生成した音読データ、翻訳前のテキスト及び翻訳後のテキスト等である。音読データは、テキストに、音読用のテキストの文言の単位に属性データ（句読点やアクセントデータやルビ等）を付与したものである。
【０１０８】
情報処理装置ＳＰの自動翻訳音読アプリでは、サーバから処理結果のデータを受信すると、ステップＳ１１１において、自動翻訳音読アプリが、受信した処理結果のデータを表示部のＵＩ３１に表示すると共に音読を行う。
ＵＩ３１には、表示エリア３２に翻訳元の言語（元言語）のテキスト、表示エリア３３に翻訳後の言語（翻訳言語）のテキストが夫々表示される。これと共に、自動翻訳音読アプリの音読機能により、受信された翻訳後のテキストの音読データが音読され、スピーカから音声が出力される。
ここで、ユーザが翻訳前又は翻訳後のテキストに間違いを発見し、訂正したい場合は、ステップＳ１１２において、ユーザが修正ボタン３６又は修正ボタン３７をクリック操作すると、編集機能が有効になり修正ボタン３６又は修正ボタン３７に対応する表示エリア（表示エリア３２又は表示エリア３３）のテキストが編集可能になるので、ステップＳ１１３において、表示エリアのテキストを手操作（手入力）で修正する。
【０１０９】
一方、翻訳前又は翻訳後のテキストに間違いがない場合は、ユーザがＵＩ３１の確定ボタン（図示せず）をクリック操作すると、クラウドＣＤに翻訳が確定した旨が通知される。確定ボタンを押さなくても、修正ボタンが押されない限り、修正はなく確定されていると考えることも可能である。
この通知を受けたクラウドＣＤのサーバは、ステップＳ１１４において、翻訳前のテキストから本のタイトル（題名）を抽出する。
そして、サーバは、ステップＳ１１５において、抽出した本のタイトル（題名）と本の記載言語に基づいて、出版本のデータベースや予めメモリに記憶している翻訳済みの電子書籍化されたリファレンスデータ等を参照して既存の本の内容（テキスト）とマッチングし、本の内容が合致した既存の本のタイトル（題名）を特定しそれを情報処理装置ＳＰに通知する。マッチングの結果、既存の本のタイトル（題名）が合致しない場合は、その旨を情報処理装置ＳＰの自動翻訳音読アプリに通知する。
【０１１０】
情報処理装置ＳＰの自動翻訳音読アプリでは、サーバからの既存の本のタイトルが合致した旨の通知があると、自動翻訳音読アプリは、既存の本のタイトルに基づいて本のテキストを含むデータを出版本のデータベースやメモリ、インターネットの本のサイト等から取得して、ステップＳ１１６において、直前に翻訳したページの終了位置が保持されていれば、その位置からテキストを表示及び音読する。
一方、サーバからの既存の本のタイトルが合致しなかった旨の通知を受信すると、自動翻訳音読アプリは、ステップＳ１１７において、直前に翻訳したページの次のページを撮像し、撮像した撮像画像をクラウドＣＤへ送信する。
【０１１１】
クラウドＣＤでは、サーバが、ステップＳ１１８乃至ステップＳ１２１において、ステップＳ１０５乃至ステップＳ１０８と同様の処理を行う。
そして、ステップＳ１２２において、サーバは、前ページで文章として完成していないページのテキスト（以下これを「未完成文章」と呼ぶ）の有無を確認し、未完成文章があれば、未完成文章のテキストと新たに読み取ったテキストとを連結して１文の文章を完成させる。日本語の場合の例では、テキストを構成する文字列のうち少なくとも句点「。」が設けられている部位まで連結する。
続いて、ステップＳ１２３において、サーバは、１文の文章と本の記載言語に基づいて、出版本のデータベースやリファレンスデータ等を参照して既存の本（出版本等）と本の内容をマッチングし、互いのデータが合致すれば、つまりマッチングできれば、その本のテキストを含むデータを取得する。
その後、ステップＳ１２４において、サーバは、ステップＳ１０９と同様に、ＡＩ翻訳機能によりテキストを、指定言語へ翻訳する。
ステップＳ１２５において、サーバは、音読データ作成機能により、翻訳したテキストから音読データを生成し、処理結果のデータを情報処理装置ＳＰの自動翻訳音読アプリへ送信する。
【０１１２】
情報処理装置ＳＰの自動翻訳音読アプリでは、サーバから処理結果のデータを受信すると、ステップＳ１２６において、自動翻訳音読アプリが、受信した処理結果のデータを表示部のＵＩ３１に表示すると共に音読を行う。
ＵＩ３１に表示された翻訳前後のテキストに間違いがあれば、ステップＳ１２７、Ｓ１２８において、ステップＳ１１２、Ｓ１１３と同様にテキストの修正を行う。
翻訳前後のテキストに間違いがなく、次の翻訳ページがあれば（ステップＳ１２９のＹｅｓ）、ユーザは、本のページをめくって、めくったページを撮像させる。
次の翻訳ページの有無については、撮像画像の隣接ページの有無を検出してもよく、ユーザにより新たなページがめくられたか否かを検出してもよい。
また、撮像画像に２ページ分の本の画像が写っていた場合、自動翻訳音読アプリは、撮像画像の中から隣の次のページの画像を切り出して、サーバへ送信し、ステップＳ１１８へ進む。
【０１１３】
ステップＳ１２９において、次の翻訳ページがなければ（ステップＳ１２９のＮｏ）、翻訳終了の通知をクラウドＣＤへ送信する。
クラウドＣＤでは、サーバが、情報処理装置ＳＰの自動翻訳音読アプリからの受信した翻訳終了の通知によって、テキストの翻訳終了位置を記憶し、ステップＳ１３０において、サーバ側の翻訳及び音読処理を終了する。
このように動作する情報処理装置ＳＰの自動翻訳音読アプリによれば、鏡ＭＬを取り付けた情報処理装置ＳＰを台ＢＳにセットし、ページを開いた本をフロントカメラで撮像すると、撮像されたページの撮像画像がＵＩ３１の撮像画像表示エリア３５に表示されるので、撮像画像表示エリア３５の撮像画像を確認しながら本の撮像範囲の位置合わせができ、正しい撮像範囲で本のページを撮像することができる。この結果、ページの見切れ等がなくなり、本から読み取ったテキストを情報処理装置ＳＰに翻訳及び音読させる際のミスを少なくすることができる。
また、情報処理装置ＳＰによれば、本のページの撮像画像を文字認識処理してテキストを抽出し、跨るページのテキストを連結して１文したテキストを情報処理装置ＳＰの自動翻訳音読アプリに取り込み、ＵＩ３１の表示エリア３２に表示するので、紙媒体の本を電子化するのを短い作業時間で行うことができる。
さらに、情報処理装置ＳＰの自動翻訳音読アプリによれば、本の見開きページ等から本のタイトルを抽出し、そのテキストに基づいて、既存の本を特定し、既存の本のデータを取得することも可能なので、全文をＯＣＲして翻訳及び音読するのに比べて誤読や未読がなくなり、本の翻訳精度を向上することができると共に音読をスムーズに行うことができる。
【０１１４】
なお、上記動作例では、ＵＩ３１の上部に撮像画像表示エリア３５を設けたが、撮像画像表示エリア３５はこの例に限定されるものではなく、ＵＩ３１のどこかに翻訳前や翻訳後のテキストよりも小さく表示していればよい。
また、テキストを抽出したときに、文章が途中で切れているときには、その文章が途切れているテキストは、そのページで翻訳や音読をせずに、次のページをスキャンして、１つの文章になってから、翻訳や音読をしてもよい。
さらに、画像を読み取った本がかつて誰かが一度スキャンしており、既に本のテキストデータや電子ブック等のデータがメモリ等に記憶されていた場合は、そのメモリの情報から翻訳及び音読を行うようにしてもよい。
この翻訳及び音読機能では、書物の１ページ１ページをいちいちシャッターを押すことなく静止画として撮影し、ページがめくられたことや撮像画像が大きく変わったこと、例えば、カメラが撮影しているページをユーザが意図的に左のページから右のページにずらしたりしたときに、これを検出してページを再度読み込み、前述した一連の翻訳のプロセスを繰り返し、翻訳を行う。
ページの再読込は、音声で行っても良く、また音で行っても良い。さらに、ページの再読込は、画面上のボタンやリモコンで行っても良い。
これ以外にも、一部を翻訳して途中から翻訳プロセスをスキップして、翻訳済みの電子書籍化されたリファレンスデータを使っても良い。一度翻訳を行い、翻訳を停止した際には、ページとページ内の位置を覚えておき、次回、再開するときには、翻訳を停止したページを表示や音読でユーザに通知しても良い。
【０１１５】
（音読機能）
次に、図２６を参照して、音読機能のＵＩを説明する。図２６は、音読機能のＵＩを示す図である。なお、図２６において、図２３と同じ構成には同一の符号を付しその説明省略する。
図２６示すように、音読機能のＵＩ３１は、表示エリア３２が広く設けられており、図２３で示した翻訳済みテキストの表示エリア３３が設けられていない。言語指定部３４は、テキスト化言語を指定するためのプルダウンメニューが一つだけ設けられている。
【０１１６】
次に、図２７及び図２８のフローチャートを参照して、音読機能の動作例を説明する。図２７及び図２８は、情報処理装置ＳＰとクラウドＣＤを含むシステムにおける音読のプロセスを示すフローチャートである。
図２７のステップＳ２０１において、鏡ＭＬをフロントカメラに対応させて装置本体に取り付ける。
ユーザは、読み取り対象のページを開いた本を読み取り用の台ＢＳ（図１３（Ｃ）参照）にセットし、ステップＳ２０２において、情報処理装置ＳＰのアイコンをクリックし、自動音読アプリを起動し、これにより表示部にＵＩ３１が表示される。
ステップＳ２０３において、ユーザがＵＩ３１の言語指定部３４のプルダウンメニューから音読言語を指定すると、自動音読アプリは、フロントカメラを起動し、ステップＳ２０４において、フロントカメラにより読み取り対象の本のタイトルを含むページの画像が撮像される。なお、音読言語は、予め所定の言語（例えば「日本語」や「英語」等）が規定値として設定されていてもよく、この場合はデフォルト設定のまま音読言語を指定する必要はない。音読言語は、後述するＳ２０７で自動で判定しても良い。
フロントカメラにより撮像されたページを含む画像は、ＵＩ３１の上部の撮像画像表示エリア３５に画角（縦横比）を保持したまま縮小表示される。撮像画像表示エリア３５では、本のページがフロントカメラの撮像エリア３５からずれているかどうかを確認することができる。
ユーザは、撮像画像表示エリア３５の撮像画像を確認することで、撮像画像表示エリア３５内に本の読み取り対象ページ全体が入るように本の位置又は情報処理装置ＳＰ全体の位置を調整し撮像範囲を調整する。撮像範囲が調整されると、自動音読アプリは、調整された撮像範囲で撮像した撮像画像をクラウドＣＤへ送信する。
【０１１７】
ステップＳ２０５において、クラウドＣＤでは、サーバが、情報処理装置ＳＰの自動音読アプリから受信した撮像画像に対して、左右反転、上下反転、回転、文字列が配置された媒体部の湾曲補正、文字列が配置された媒体部の台形補正、コントラストの調整、文字列が配置された媒体部だけの切り抜き、写り込んでしまった指の画像の削除等の画像の補正を行い、本１ページ分の幅や文字列の位置を検出する。
ステップＳ２０６において、サーバは、向き等を補正した撮像画像から文字を認識することで、テキストを抽出する。画像から文字を認識する処理をＯＣＲと呼ぶ。
ステップＳ２０７において、サーバは、抽出したテキストから本に記載されている文字の言語（記載言語）を判定する。
ステップＳ２０８では、サーバは、必要に応じて、判定した文字の言語に基づいてテキストを補正する。「必要に応じて」とは、例えば誤読文字や未認識文字が多く文字認識率が一定値より低い場合等である。加えて、本や章のタイトルやページ数をテキストに含めない、漢字にルビ（よみ）が振られている場合は、重複して取り込まない、といった補正が加えられる。
ステップＳ２０９では、サーバは、音読データ作成機能により、抽出したテキストから音読データを生成し、処理結果のデータを情報処理装置ＳＰへ送信する。処理結果のデータは、生成した音読データ、テキスト等である。音読データは、テキストに、音読用のテキストの文言の単位に属性データ（句読点やアクセントデータやルビ等）を付与したものである。
【０１１８】
情報処理装置ＳＰの自動音読アプリでは、サーバから処理結果のデータを受信すると、ステップＳ２１０において、自動音読アプリが、受信した処理結果のデータを表示部のＵＩ３１に表示すると共に音読を行う。
ＵＩ３１には、表示エリア３２に音読言語のテキストが表示される。これと共に、自動音読アプリの音読機能により、受信された翻訳後のテキストの音読データが音読され、情報処理装置ＳＰのスピーカから音声が出力される。
ここで、ユーザが音読内容やテキストに間違いを発見し、訂正したい場合は、ステップＳ２１１において、ユーザが修正ボタン３６をクリック操作すると、編集機能が有効になり表示エリア３２のテキストが編集可能になるので、ステップＳ２１２において、表示エリア３２のテキストを手操作（手入力）で修正する。修正後、テキストは、サーバへ送られて、ステップ２０９において、音読データが生成される。
一方、音読内容やテキストに間違いがない場合は、ユーザがＵＩ３１の確定ボタン（図示せず）をクリック操作すると、クラウドＣＤに音読内容が確定した旨が通知される。確定ボタンを押さなくても、修正ボタンが押されない限り、修正はなく確定されていると考えることも可能である。
【０１１９】
情報処理装置ＳＰの自動音読アプリから通知を受けたクラウドＣＤのサーバは、ステップＳ２１３において、文字認識したテキストから本のタイトル（題名）を抽出する。
そして、サーバは、ステップＳ２１４において、抽出した本のタイトル（題名）と本の記載言語に基づいて、出版本のデータベースや予めメモリに記憶しているリファレンスデータ等を参照して既存の本の内容（テキスト）とマッチングし、本の内容が合致した既存の本のタイトル（題名）を特定しそれを情報処理装置ＳＰの自動音読アプリに通知する。マッチングの結果、既存の本のタイトル（題名）が合致しない場合は、その旨を情報処理装置ＳＰの自動音読アプリに通知する。
【０１２０】
情報処理装置ＳＰの自動音読アプリでは、サーバからの既存の本のタイトルが合致した旨の通知があると、自動音読アプリは、既存の本のタイトルに基づいて本のデータを出版本のデータベースやメモリ、インターネットの本のサイト等から取得して、ステップＳ２１５において、直前に音読したページの終了位置が保持されていれば、その位置からテキストを表示及び音読する。
また、サーバからの既存の本のタイトルが合致しなかった旨の通知を受信すると、自動音読アプリは、ステップＳ２１６において、直前に音読したページの次のページを撮像し、撮像した撮像画像をクラウドＣＤへ送信する。
【０１２１】
クラウドＣＤでは、サーバが、ステップＳ２１７乃至ステップＳ２２０において、ステップＳ２０５乃至ステップＳ２０８と同様の処理を行う。
そして、ステップＳ２２１において、サーバは、前ページで文章として完成していないページのテキスト（以下これを「未完成文章」と呼ぶ）の有無を確認し、未完成文章があれば、未完成文章のテキストと新たに読み取ったテキストとを連結して１文の文章を完成させる。日本語の場合の例では、テキストを構成する文字列のうち少なくとも句点「。」が設けられている部位まで連結する。
【０１２２】
続いて、ステップＳ２２２において、サーバは、１文の文章と本の記載言語に基づいて、出版本のデータベースやリファレンスデータ等を参照して既存の本（出版本等）との本の内容をマッチングし、互いのデータが合致すれば、つまりマッチングできれば、その本のテキストを含むデータを取得する。
その後、ステップＳ２２３において、サーバは、ステップＳ２０９と同様に、音読データ作成機能により、文字認識したテキストから音読データを生成し、処理結果のデータを情報処理装置ＳＰの自動音読アプリへ送信する。
【０１２３】
情報処理装置ＳＰの自動音読アプリでは、サーバから処理結果のデータを受信すると、ステップＳ２２４において、自動音読アプリが、受信した処理結果のデータを表示部のＵＩ３１に表示すると共に音読を行う。
ＵＩ３１に表示されたテキストに間違いがあれば、ステップＳ２２５、Ｓ２２６において、ステップＳ２１１、Ｓ２１２と同様にテキストの修正を行う。
音読したテキストに間違いがなく、次の翻訳ページがあれば（ステップＳ２２７のＹｅｓ）、ステップＳ２２８において、ユーザは、本のページをめくって、めくったページを情報処理装置ＳＰの自動音読アプリに撮像させる。次の音読ページの有無については、撮像画像の隣接ページの有無を検出してもよく、ユーザにより新たなページがめくられたか否かを検出してもよい。
また、撮像画像に２ページ分の本の画像が写っていた場合、自動音読アプリは、撮像画像の中から隣の次のページの画像を切り出して、サーバへ送信し、ステップＳ２１７へ進む。
一方、ステップＳ２２７において、次の音読ページがなければ（ステップＳ２２７のＮｏ）、音読終了の通知がクラウドＣＤに送信される。
【０１２４】
クラウドＣＤでは、サーバが、情報処理装置ＳＰの自動音読アプリから受信された音読終了の通知によって、ステップＳ２２９において、音読データ及びテキストの音読終了位置を記憶し、ステップＳ２３０において、サーバ側の音読処理を終了する。
【０１２５】
このように動作する情報処理装置ＳＰの自動音読アプリによれば、鏡ＭＬを取り付けた情報処理装置ＳＰを台ＢＳにセットし、ページを開いた本をフロントカメラで撮像すると、撮像されたページの撮像画像がＵＩ３１の撮像画像表示エリア３５に表示されるので、撮像画像表示エリア３５の撮像画像を確認しながら本の撮像範囲の位置合わせができ、正しい撮像範囲で本のページを撮像することができる。この結果、ページの見切れ等がなくなり、本から読み取ったテキストを情報処理装置ＳＰの自動音読アプリに音読させる際の音読ミスを少なくすることができる。
また、情報処理装置ＳＰの自動音読アプリによれば、本のページの撮像画像を文字認識処理してテキストを抽出し、跨るページのテキストを連結して１文したテキストを情報処理装置ＳＰに取り込み、ＵＩ３１の表示エリア３２に表示するので、紙媒体の本を電子化するのを短い作業時間で行うことができる。
さらに、情報処理装置ＳＰの自動音読アプリによれば、抽出したテキストに基づいて、既存の本を特定し、既存の本のデータを取得するので、全文をＯＣＲして音読するのに比べて誤読や未読がなくなり、本の音読をスムーズに行うことができる。
【０１２６】
（テキスト化機能）
次に、テキスト化機能について説明する。なお、テキスト化機能のＵＩは、図２６のＵＩ３１と基本的に同じでありその説明は省略する。
ここで、図２９及び図３０のフローチャートを参照して、テキスト化機能の動作例を説明する。図２９及び図３０は、情報処理装置ＳＰとクラウドＣＤを含むシステムにおけるテキスト化のプロセスを示すフローチャートである。
図２９のステップＳ３０１において、鏡ＭＬをフロントカメラに対応させて装置本体に取り付ける。
ユーザは、読み取り対象のページを開いた本を読み取り台（図１３（Ｃ）参照）にセットし、ステップＳ３０２において、情報処理装置ＳＰのテキスト化機能のアイコンをクリックし、自動テキスト化アプリを起動し、これにより表示部にＵＩ３１が表示される。
ステップＳ３０３において、ユーザがＵＩ３１の言語指定部３４のプルダウンメニューからテキスト化言語を指定すると、自動テキスト化アプリは、フロントカメラを起動し、ステップＳ３０４において、フロントカメラにより読み取り対象の本のタイトルを含むページの画像が撮像される。なお、テキスト化言語は、予め所定の言語（例えば「日本語」や「英語」等）が規定値として設定されていてもよく、この場合はデフォルト設定のままテキスト化言語を指定する必要はない。テキスト化言語は、後述するステップＳ３０７の処理により自動的に判定しても良い。
フロントカメラにより撮像されたページを含む画像は、ＵＩ３１の上部の撮像画像表示エリア３５に画角（縦横比）を保持したまま縮小表示される。撮像画像表示エリア３５では、本のページがフロントカメラの撮像エリア３５からずれているかどうかを確認することができる。
ユーザは、撮像画像表示エリア３５の撮像画像を確認することで、撮像画像表示エリア３５内に本の読み取り対象ページ全体が入るように本の位置又は情報処理装置ＳＰ全体の位置を調整し撮像範囲を調整する。撮像範囲が調整されると、自動テキスト化アプリは、調整された撮像範囲で撮像した撮像画像をクラウドＣＤへ送信する。
【０１２７】
ステップＳ３０５において、クラウドＣＤでは、サーバが、情報処理装置ＳＰの自動テキスト化アプリから受信した撮像画像から書類の回転、湾曲補正、台形補正、コントラストの調整、本部分だけの切り抜き、写り込んでしまった指の画像の削除等の画像の補正を行い、本１ページ分の幅や文字列の位置を検出する。
ステップＳ３０６において、サーバは、向き等を補正した撮像画像から文字を認識することで、テキストを抽出する。画像から文字を認識する処理をＯＣＲと呼ぶ。
ステップＳ３０７において、サーバは、抽出したテキストから本に記載されている文字の言語（記載言語）を判定する。
ステップＳ３０８では、サーバは、必要に応じて、判定した文字の言語に基づいてテキストを補正する。「必要に応じて」とは、例えば誤読文字や未認識文字が多く文字認識率が一定値より低い場合等である。加えて、本や章のタイトルやページ数をテキストに含めない、漢字にルビ（よみ）が振られている場合は、重複して取り込まない、といった補正が加えられる。
【０１２８】
情報処理装置ＳＰの自動テキスト化アプリでは、サーバからテキストを受信すると、ステップＳ３０９において、自動テキスト化アプリが、受信した処理結果のデータを表示部のＵＩ３１に表示する。
ＵＩ３１には、表示エリア３２にテキスト化言語のテキストが表示される。
ここで、ユーザがテキストに間違いを発見し、訂正したい場合は、ステップＳ３１０において、ユーザが修正ボタン３６をクリック操作すると、編集機能が有効になり表示エリア３２のテキストが編集可能になるので、ステップＳ３１１において、表示エリア３２のテキストを手操作（手入力）で修正する。修正後、テキストは、サーバへ送られる。
一方、テキストに間違いがない場合は、ユーザがＵＩ３１の確定ボタン（図示せず）をクリック操作すると、クラウドＣＤにテキストの内容が確定した旨が通知される。確定ボタンを押さなくても、修正ボタンが押されない限り、修正はなく確定されていると考えることも可能である。
【０１２９】
情報処理装置ＳＰの自動テキスト化アプリから通知を受けたクラウドＣＤのサーバは、ステップＳ３１２において、情報処理装置ＳＰにおいて修正したテキスト又はサーバでテキスト化したテキストから本のタイトル（題名）と本の記載言語を抽出する。
そして、サーバは、ステップＳ３１３において、抽出した本のタイトル（題名）と本の記載言語に基づいて、出版本のデータベースや予めメモリに記憶しているリファレンスデータ等を参照して既存の本の内容（テキスト）とマッチングし、本の内容が合致した既存の本のタイトル（題名）を特定し、特定した本のタイトル（題名）と記載言語を情報処理装置ＳＰに通知する。マッチングの結果、既存の本のタイトル（題名）が合致しない場合は、その旨を情報処理装置ＳＰの自動テキスト化アプリに通知する。
【０１３０】
情報処理装置ＳＰの自動テキスト化アプリでは、サーバからの既存の本のタイトル（題名）と本の記載言語の通知があると、自動テキスト化アプリは、既存の本のタイトル（題名）と本の記載言語に基づいて本のデータを出版本のデータベースやメモリ、インターネットの本のサイト等から取得して、ステップＳ３１４において、直前にテキスト化したページの終了位置が保持されていれば、その位置からテキストを表示する。
また、情報処理装置ＳＰの自動テキスト化アプリでは、サーバからの既存の本のタイトルが合致しなかった旨の通知を受信すると、自動テキスト化アプリは、本のテキスト化を進めるため、ステップＳ３１５において、直前に音読したページの次のページを撮像し、撮像した撮像画像をクラウドＣＤへ送信する。
【０１３１】
クラウドＣＤでは、サーバが、ステップＳ３１６乃至ステップＳ３１９において、ステップＳ３０５乃至ステップＳ３０８と同様の処理を行う。
そして、ステップＳ３２０において、サーバは、本の記載言語とテキストとに基づいて、出版本のデータベースや予めメモリに記憶しているリファレンスデータ等を参照して既存の本（出版本等）との本の内容とマッチングし、互いのデータが合致すれば、つまりマッチングできれば、その本のテキストを含むデータを、出版本のデータベースやメモリから取得する。その後、サーバは、取得したテキストを情報処理装置ＳＰの自動テキスト化アプリへ送信する。
【０１３２】
情報処理装置ＳＰの自動テキスト化アプリでは、サーバからテキストを受信すると、ステップＳ３２１において、自動テキスト化アプリが、テキストを表示部のＵＩ３１に表示する。
ＵＩ３１に表示されたテキストに間違いがあれば、ステップＳ３２２、Ｓ３２３において、ステップＳ３１１、Ｓ３１２と同様にテキストの修正を行う。
表示したテキストに間違いがなく、ステップＳ３２４において、次のテキスト化ページがあれば（ステップＳ３２４のＹｅｓ）、ステップＳ３２５において、ユーザは、本のページをめくって、めくったページを情報処理装置ＳＰに撮像させる。次の音読ページの有無については、撮像画像の隣接ページの有無を検出してもよく、ユーザにより新たなページがめくられたか否かを検出してもよい。
また、撮像画像に２ページ分の本の画像が写っていた場合、自動テキスト化アプリは、撮像画像の中から隣の次のページの画像を切り出して、サーバへ送信し、ステップＳ３１６へ進む。
一方、ステップＳ３２４において、次のテキスト化したいページがなければ（ステップＳ３２４のＮｏ）、テキスト化終了の通知がクラウドＣＤに送信される。
【０１３３】
クラウドＣＤでは、サーバが、情報処理装置ＳＰから受信されたテキスト化終了の通知によって、ステップＳ３２６において、テキストの終了位置を記憶し、ステップＳ３２７において、サーバ側のテキスト化処理を終了する。
【０１３４】
このように動作するテキスト化機能を有する情報処理装置ＳＰによれば、鏡ＭＬを取り付けた情報処理装置ＳＰを台ＢＳにセットし、ページを開いた本をフロントカメラで撮像すると、撮像されたページの撮像画像がＵＩ３１の撮像画像表示エリア３５に表示されるので、撮像画像表示エリア３５の撮像画像を確認しながら本の撮像範囲の位置合わせができ、正しい撮像範囲で本のページを撮像することができる。この結果、ページの見切れ等がなくなり、本をテキスト化する際のミスを少なくすることができる。
また、情報処理装置ＳＰの自動テキスト化アプリによれば、本のページの撮像画像を文字認識処理してテキストを抽出し、情報処理装置ＳＰの自動テキスト化アプリに取り込み、ＵＩ３１の表示エリア３２に表示するので、紙媒体の本を電子化するのを短い作業時間で行うことができる。
さらに、情報処理装置ＳＰの自動テキスト化アプリによれば、抽出したテキストに基づいて、既存の本を特定し、既存の本のデータを取得するので、全文をテキスト化するのに比べて誤読や未読がなくなり、本のテキスト化の精度を向上することができる。
【０１３５】
なお、上記翻訳機能、音読機能及びテキスト化機能の動作例では、図１３に示した固定式カメラを備える情報処理装置ＳＰに鏡ＭＬをセットした例について説明したが、これらの機能は、図１乃至図４に示す情報処理装置１や図２０及び図２１に示した、スライド式回転カメラを備える情報処理装置１にも適用することができる。
図１乃至図４に示す情報処理装置１や図２０及び図２１に示す情報処理装置１では、必要に応じて、表示部をスライドして情報処理装置１を立てた状態で、図１６に示す台ＢＳにセットし、回転カメラを情報処理装置１の後側から前方向に回転させて回転カメラの光軸を下方に向けることができるので、鏡ＭＬを取り付けることなく、読み取り対象のページを広げた本の読み取りが可能になる。左右を反転させる鏡モードも不要になる。ただし、撮影設定次第で、上下の反転が必要になる場合がある。
また、上記翻訳機能、音読機能及びテキスト化機能は、図２２に示した、回転カメラを備える情報処理装置１にも適用できることは言うまでもない。
【０１３６】
次に、図３１、図３２を参照して、図１３に示した情報処理装置ＳＰの他の実施形態を説明する。図３１、図３２は、情報処理装置ＳＰの他の実施形態を示す図である。
図３１に示すように、この実施形態の情報処理装置ＳＰは、情報処理装置本体ＳＰ１の上端部分にフロントカメラＦＣが搭載されている。情報処理装置本体ＳＰ１は、所定の厚みＴ１を有する。
情報処理装置本体ＳＰ１には、フロントカメラＦＣの部分を覆うように、鏡ユニットＭＵが取り付けられている。鏡ユニットＭＵには、溝ＭＺが設けられている。図に向かって溝ＭＺの右側が支持部ＭＵ１、左側が反射部ＭＵ２とされている。
反射部ＭＵ２の内側は、傾斜した壁面とその左右端をカバーする壁面とを有しており、下方と情報処理装置本体ＳＰ１側の側方に開口されている。
反射部ＭＵ２の傾斜した壁面には、情報処理装置本体ＳＰ１のフロントカメラＦＣの光軸方向に鏡ＭＬが傾斜して配置されており、情報処理装置本体ＳＰ１を立てた状態で、下方の面（台ＢＳが置かれた面）に、ページを開いて置かれた本が鏡ＭＬによりフロントカメラＦＣで撮像可能にされている。
鏡ユニットＭＵの溝ＭＺは、情報処理装置本体ＳＰ１の厚みＴ１よりも広い幅で設けられている。このため、情報処理装置本体ＳＰ１に鏡ユニットＭＵを取り付けると、隙間が空く。この隙間を埋めるように情報処鏡ユニットＭＵの溝ＭＺには、情報処理装置本体ＳＰ１との間にアタッチメントＡＴ１が配置されている。
アタッチメントＡＴ１は、情報処理装置本体ＳＰ１の厚みＴ１に対応して情報処鏡ユニットＭＵの溝ＭＺとの隙間を塞ぎ、情報処鏡ユニットＭＵを情報処理装置本体ＳＰ１に固定するためのものである。
他の実施形態として、例えば図３２に示すように、厚みＴ１よりも厚い厚みＴ２の情報処理装置本体ＳＰ２の場合、図３１に示したアタッチメントＡＴ１よりも薄いアタッチメントＡＴ２が用意されている。
情報処理装置本体ＳＰ２に鏡ユニットＭＵを装着する際に、溝ＭＺにアタッチメントＡＴ２を挿入することで、溝ＭＺの部分に隙間なく鏡ユニットＭＵを情報処理装置本体ＳＰ２に固定することができる。
【０１３７】
このように構成される情報処理装置ＳＰでは、厚みの異なる情報処理装置本体ＳＰ１や情報処理装置本体ＳＰ２の厚み方向を吸収するためのアタッチメントＡＴ１、ＡＴ２を取り付けることにより、様々な厚みやケース付きの情報処理装置ＳＰに対応し、鏡ユニットＭＵを情報処理装置本体ＳＰ１、ＳＰ２にしっかり固定することができる。
即ち、情報処理装置本体ＳＰ１、ＳＰ２の厚みＴ１、Ｔ２に応じてアタッチメントＡＴ１、ＡＴ２を用意することで、様々な厚みの情報処理装置ＳＰに鏡ユニットＭＵを装着して、本の読み取りが可能になる。
【０１３８】
なお、本発明は、上述の実施形態に限定されるものではなく、本発明の目的を達成できる範囲での省略を含む変形、改良等は本発明に含まれるものである。
例えば、既存の本の内容（テキスト）とマッチングは、必ずしも行う必要はない。マッチングを行うにしても、本のタイトルを撮影するのではなく、本のバーコードを撮影することでマッチングを図っても良い。
上記実施形態では、本を読み取る例について説明したが、これに限らず、雑誌等の書物を含む紙の記録媒体のテキスト化もほぼ同様である。紙の記録媒体を紙葉類という。紙葉類以外にも、電子書籍のような、紙の表示に近いもののテキスト化もほぼ同様である。
上記実施形態では、翻訳や音読のプロセスを行ったが、これらのプロセスをスキップし、撮像画像から抽出したテキストと撮像画像をＵＩ３１に共に表示させるだけでも良い。
また、ＵＩ３１にテキストを表示するだけではなく、領収書等のデータを入力する書式データ（フォーマット）をメモリに登録しておき、そのフォーマットのカラム（入力項目）に数字を含むテキストを入力することで、例えば金額や日付や宛名等を入力した領収書又は領収書に対する支払い伝票等を自動的に生成することができる。
【０１３９】
例えば、連結部１２は、上述の実施形態では、カメラ基部１２−１と、カメラ指向部１２−２という２つの可動部から構成されていたが、特に上述の実施形態に限定されず、本体部１１より容積が小さい可動部を１以上有していれば足りる。
この場合、撮像部たるカメラ２１は、１以上の可動部のうち所定の１つの所定の面に配置されれば足りる。
さらに、１以上の可動部のうち任意の個数の任意の種類の可動部（撮像部が配置された可動部含む）には、任意の機能を有するデバイスを搭載させることができる。
【０１４０】
例えば、本発明の情報処理装置１は、赤外線式リモコン（リモートコントローラ）として使用できて良い。
例えば、本発明の情報処理装置１の一実施形態によれば、カメラでリモコンを撮影すると、画像認識して、１つ１つのボタンの機能を情報処理装置のディスプレイとタッチパネルで実現し、情報処理装置から赤外線コマンドを出すか、情報処理装置からＷｉ−Ｆｉ（登録商標）やＢｌｕｅｔｏｏｔｈ（登録商標）などの無線で、赤外線発信機にコマンドを送ることとして良い。
【０１４１】
例えば、本発明の情報処理装置１の一実施形態によれば、２軸回転カメラ、１軸回転カメラ、３６０度カメラで撮影した画像に対して、ＡＲ上でナビゲーションを行う機能を実現することができる。
この場合において、ナビゲーションシステムは、例えば、画像は表示せず、音声のみであって良い。
また、情報処理装置１は、例えば、ハプティクスで曲がり角を報知して良い。
また、情報処理装置１は、例えば、カメラ２１が自動で回転して、方向を報知して良い。
【０１４２】
図２３乃至図３０に示した、翻訳、音読及びテキスト化の各機能は、情報処理装置ＳＰとクラウドＣＤとをネットワークを介して接続したシステムにより実現したが、クラウドＣＤ側の機能を情報処理装置ＳＰに含めて、翻訳、音読及びテキスト化の各機能を情報処理装置ＳＰ単体で実現してもよい。
【０１４３】
このように、本発明が適用される情報処理装置１は、各種各様な実施形態を取ることが可能である。換言すると、本発明が適用される情報処理装置１は、次のような構成を取れば足り、その実施形態は特に限定されない。
即ち、本発明が適用される情報処理装置（例えば、図１の情報処理装置１）は、
撮像を行う撮像手段（例えば、図２のカメラ２１）と、
前記撮像手段が生成する撮像画像から被写体を抽出する被写体抽出手段と、
前記被写体が示す情報を抽出する情報抽出手段と、
前記情報を解析する情報解析手段と、
前記解析の結果に基づいてオブジェクトを生成する生成手段と、
前記オブジェクトを前記撮像画像と共に提示する提示手段と、
を備える。
【０１４４】
また、本発明が適用される情報処理装置（例えば、図１３の情報処理装置ＳＰ）は、
文字列が配置された記録媒体（図１３（Ｂ）の本等）を撮像する撮像手段（例えば図１３（Ｃ）の情報処理装置ＳＰのフロントカメラ）と、
前記撮像手段により撮像される撮像画像に基づいて前記文字列に対応するテキストデータを生成するテキストデータ生成手段（例えば図１３（Ａ）の情報処理装置ＳＰの自動翻訳音読アプリ）と、
前記撮像手段により撮像される撮像画像と前記テキストデータとを共に提示する提示手段（例えば図２３のＵＩ３１）と、
を備える。
このように構成することにより、カメラ視点画像を視認しながらも、自由な姿勢で撮影することができる。また、この構成によれば、ユーザは、撮像画像の写り（記録媒体の文字列の位置）を確認し記録媒体を調整しながら、生成されるテキストデータを閲覧できるので、テキストデータをミスなく生成することができる。
上記情報処理装置の前記撮像手段（例えば図２０の回転カメラ２１）は、
情報処理装置本体（例えば図２０の情報処理装置１）の端部に、光軸が前記情報処理装置本体の背面側から前記テキストデータが提示される正面側に向くように回動可能に支持される。
このように構成することにより、光軸を屈折させる鏡等の部材を取り付けることなく、テキストデータを生成することができる。
上記情報処理装置ＳＰの前記撮像手段（例えば図１３（Ｃ）または図３１のフロントカメラＦＣ）は、
情報処理装置本体ＳＰ１の端部に、前記テキストデータが提示される表示部１３の法線方向に光軸を向けて設けられ、
前記情報処理装置本体ＳＰ１に取り付けられた鏡ＭＬを介して屈折させた前記光軸の方向から前記記録媒体（例えば図１３（Ｂ）の本）のページを撮像するよう構成される。
このように構成することにより、情報処理装置ＳＰを台ＢＳに立てた状態で、平面に開いて配置した本のページを撮像することができるようになり、ユーザが情報処理装置本体ＳＰ１を持つことなく、本のページめくりや本の位置調整等を行うことができようなる。
上記情報処理装置１の前記撮像手段（例えば図２０の回転カメラ２１）は、
情報処理装置本体（例えば図２０の本体部１１）の端部に、光軸を前記情報処理装置本体の背面側から前記テキストデータが提示される正面側に向くように回動可能に支持され、
前記情報処理装置本体の正面にスライド移動可能に設けられた表示部１３が前記情報処理装置本体と重なる第１の状態（例えば図２０（Ａ）では第１の範囲（０°から１８０°）を可動域とし、
前記表示部１３をスライドさせた、前記表示部１３の一部が前記情報処理装置本体と重ならない第２の状態（例えば図２０（Ｂ）では、前記第１の範囲よりも広い前記第２の範囲（０°乃至２７０°）を可動域とする。さらにはスライドした表示部１３の端面に回転カメラ２１が当接するまで、２７０°以上の範囲を可動域とする。
なお、０°は、回転カメラ２１が本体部１１の溝又は切り欠き部に収容された状態（回転カメラ２１と本体部１１が厚み方向に重なった状態）であり、１８０°は、回転カメラ２１が本体部１１の外部で直線状に並んだ状態である。１８０°を超えると、回転カメラ２１は本体部１１の正面１１ａ側に突出し、２７０°は、回転カメラ２１の光軸が本体部１１の真下に向いた状態である。
このように構成することにより、情報処理装置１を台ＢＳに立てた状態で、鏡ＭＬを取り付けることなく台ＢＳが置かれた面に開いて配置した本のページを撮像することができるようになり、ユーザが情報処理装置本体を持つことなく、本のページめくりや本の位置調整等を行うことができようなる。
上記情報処理装置１（例えば図１０又は図１１の情報処理装置１）は、
前記撮像手段により撮像される撮像画像に、前記撮像手段の向きを示す情報を付与する。
このように構成することにより、ユーザは、写真撮影時の情報処理装置１の状況がどのようであったか（本体部１１を横位置して回転カメラ２１を縦長の画角にして撮像した、本体部１１を縦位置して回転カメラ２１を横長の画角で撮った等）を把握することができる。
上記情報処理装置１（例えば図１３又は図２０の情報処理装置ＳＰ）は、
前記撮像画像を、前記テキストデータを生成するために適した画像に補正する補正手段（例えば図１３又は図２０の情報処理装置ＳＰの自動翻訳音読アプリ等）、
を備える。
このように構成することにより、ＯＣＲの際の誤読または未読が減少し、テキストデータの文字認識精度を向上することができる。
上記情報処理装置ＳＰ（例えば図１３、図２０の情報処理装置ＳＰ又はクラウドＣＤ）は、
前記テキストデータの翻訳及び音読のうち少なくとも一方を行う処理手段（例えば図１３、図２０の情報処理装置ＳＰの自動翻訳音読アプリ等）、
を備える。
このように構成することにより、情報処理装置ＳＰにおいて翻訳されたテキストデータの閲覧や音読再生が可能になる。
上記情報処理装置ＳＰ（例えば図１３、図２０の情報処理装置ＳＰ又はクラウドＣＤ）は、
前記テキストデータが文章として未完成の場合、前記撮像画像の他の部位又は次の撮像画像から得られた前記テキストデータと結合する結合手段、
を備える。
このように構成することにより、テキストデータが結合されて１つの文章として完成するので、ユーザは、情報処理装置ＳＰにおいて本の文章を途切れることなく閲覧したり音読再生が可能になる。
【符号の説明】
【０１４５】
１・・・情報処理装置
１−１乃至１−３・・・情報処理装置
１１・・・本体部
１１ａ・・・正面
１１ｂ・・・背面
１２・・・連結部
１２−１・・・カメラ基部
１２−２・・・カメラ指向部
１３・・・表示部
１４・・・スタンド
２１・・・カメラ
ＡＤ１、ＡＤ２・・・広告
ＡＬ・・・補助線
Ｂ１・・・削除ボタン
Ｂ２・・・検討中ボタン
Ｂ３・・・保持ボタン
ＢＳ・・・台
ＣＤ・・・クラウド
ＣＬ・・・クリップ
ＣＯ・・・対象物
ＥＰ１、ＥＰ２・・・換算価格表示
Ｇ１、Ｇ２・・・ゲーム画像
ＧＣ・・・ゲームキャラクタ
ＧＩ１乃至ＧＩ４・・・ガイド情報
ＧＳ・・・ガソリンスタンドの映像
ＨＢ・・・半透過ボタン
ＭＤ・・・ユーザ
ＭＬ・・・鏡
ＭＮ・・・レストランメニュー
ＭＰ・・・地図
ＭＳ・・・メッセージ
ＯＢ・・・原文ボタン
ＯＴ・・・原文
ＯＰ１、ＯＰ２・・・原価格表示
ＯＰ・・・過去の写真
ＯＷ・・・料理名
ＰＬ・・・人
ＰＱ・・・問題
ＰＷ・・・地名
ＱＧ・・・問題画像
ＱＰ・・・問題用紙
ＲＣ・・・シャッターリモコン
ＲＭ・・・ラーメン店の行列の映像
ＳＣ・・・画面
ＳＰ・・・固定式カメラを備える情報処理装置
ＳＳ・・・音源
ＴＢ・・・翻訳ボタン
ＴＴ・・・翻訳文
ＴＷ・・・翻訳文
Ｕ・・・ユーザ
ＷＫ・・・対象物
Ｚ１、Ｚ２、Ｚ３、Ｚ４・・・回動軸
【図１】
2020158955.tif 000003
【図２】
2020158955.tif 000004
【図３】
2020158955.tif 000005
【図４】
2020158955.tif 000006
【図５】
2020158955.tif 000007
【図６】
2020158955.tif 000008
【図７】
2020158955.tif 000009
【図８】
2020158955.tif 000010
【図９】
2020158955.tif 000011
【図１０】
2020158955.tif 000012
【図１１】
2020158955.tif 000013
【図１２】
2020158955.tif 000014
【図１３】
2020158955.tif 000015
【図１４】
2020158955.tif 000016
【図１５】
2020158955.tif 000017
【図１６】
2020158955.tif 000018
【図１７】
2020158955.tif 000019
【図１８】
2020158955.tif 000020
【図１９】
2020158955.tif 000021
【図２０】
2020158955.tif 000022
【図２１】
2020158955.tif 000023
【図２２】
2020158955.tif 000024
【図２３】
2020158955.tif 000025
【図２４】
2020158955.tif 000026
【図２５】
2020158955.tif 000027
【図２６】
2020158955.tif 000028
【図２７】
2020158955.tif 000029
【図２８】
2020158955.tif 000030
【図２９】
2020158955.tif 000031
【図３０】
2020158955.tif 000032
【図３１】
2020158955.tif 000033
【図３２】
2020158955.tif 000034
【国際調査報告】
2020158955.tif 000035
2020158955.tif 000036
2020158955.tif 000037
2020158955.tif 000038
2020158955.tif 000039
2020158955.tif 000040
2020158955.tif 000041
2020158955.tif 000042
2020158955.tif 000043